(57)【要約】  本発明は、再生を制御する方法、装置、プログラム、及び記録媒体に関する。本発明は、現在再生しているビデオ再生の早送り又は早戻しを便利に制御することを実現できる。前記の方法は、外部部材によってトリガーされたスタートイベントを受信した時、前記外部部材が所属するインテリジェントデバイスの回転情報を獲得するステップと、前記スタートイベントと前記回転情報に基づいて、現在再生しているマルチメディアの再生状態を制御するするステップと、を含む。【選択図】図１
2018535454.tif 000002
【特許請求の範囲】
【請求項１】
外部部材によってトリガーされたスタートイベントを受信した時、前記外部部材が所属するインテリジェントデバイスの回転情報を獲得するステップと、
前記スタートイベントと前記回転情報に基づいて、現在再生しているマルチメディアの再生状態を制御するするステップと、
を含むことを特徴とする再生を制御する方法。
【請求項２】
前記外部部材が前記インテリジェントデバイスのケース外側の実体キー、又は前記インテリジェントデバイスがバインディングされたリモートコントロールデバイスの実体キーである場合、前記実体キーを操作して前記スタートイベントをトリガーする
ことを特徴とする請求項１に記載の方法。
【請求項３】
前記外部部材が前記インテリジェントデバイスのケース外側の仮想キー、又は前記インテリジェントデバイスがバインディングされたリモートコントロールデバイスの仮想キーである場合、前記仮想キーをタッチして前記スタートイベントをトリガーする
ことを特徴とする請求項１に記載の方法。
【請求項４】
前記外部部材が所属するインテリジェントデバイスの回転情報を獲得するステップは、
前記インテリジェントデバイス内部のセンサーによって、前記回転情報を獲得するステップを含む
ことを特徴とする請求項１に記載の方法。
【請求項５】
前記外部部材が所属するインテリジェントデバイスの回転情報を獲得するステップは、
前記インテリジェントデバイスとバインディング関係を有するリモートコントロールデバイスによって、前記回転情報を獲得するステップを含む
ことを特徴とする請求項１に記載の方法。
【請求項６】
前記回転情報が方向情報を含む場合、現在再生しているマルチメディア情報の再生方向を制御する
ことを特徴とする請求項１、４又は５に記載の方法。
【請求項７】
前記回転情報が回転角度情報を含む場合、現在再生しているマルチメディア情報の再生位置を制御する
ことを特徴とする請求項１、４又は５に記載の方法。
【請求項８】
前記回転情報が回転速度情報を含む場合、現在再生しているマルチメディア情報の再生速度を制御する
ことを特徴とする請求項１、４又は５に記載の方法。
【請求項９】
現在再生しているビデオの高速再生を制御する過程中、高速再生の進みに基づいて前記ビデオのプレビュー画像を表示するステップを含む
ことを特徴とする請求項１に記載の方法。
【請求項１０】
外部部材によってトリガーされたスタートイベントを受信した時、前記外部部材が所属するインテリジェントデバイスの回転情報を獲得するための獲得モジュールと、
前記スタートイベントと前記回転情報に基づいて、現在再生しているマルチメディアの再生状態を制御するための制御モジュールと、
を含むことを特徴とする再生を制御する装置。
【請求項１１】
前記外部部材が前記インテリジェントデバイスのケース外側の実体キー、又は前記インテリジェントデバイスがバインディングされたリモートコントロールデバイスの実体キーである場合、前記実体キーを操作して前記スタートイベントをトリガーするための第一トリガーモジュールを含む
ことを特徴とする請求項１０に記載の装置。
【請求項１２】
前記外部部材が前記インテリジェントデバイスのケース外側の仮想キー、又は前記インテリジェントデバイスがバインディングされたリモートコントロールデバイスの仮想キーである場合、前記仮想キーをタッチして前記スタートイベントをトリガーするための第二トリガーモジュールを含む
ことを特徴とする請求項１０に記載の装置。
【請求項１３】
前記獲得モジュールは、
前記インテリジェントデバイス内部のセンサーによって、前記回転情報を獲得するための第一獲得サブモジュールを含む
ことを特徴とする請求項１０に記載の装置。
【請求項１４】
前記獲得モジュールは、
前記インテリジェントデバイスとバインディング関係を有するリモートコントロールデバイスによって、前記回転情報を獲得するための第二獲得サブモジュールを含む
ことを特徴とする請求項１０に記載の装置。
【請求項１５】
前記回転情報が方向情報を含む場合、現在再生しているマルチメディア情報の再生方向を制御するための方向モジュールを含む
ことを特徴とする請求項１０、１３又は１４に記載の装置。
【請求項１６】
前記回転情報が回転角度情報を含む場合、現在再生しているマルチメディア情報の再生位置を制御するためのジャンプモジュールを含む
ことを特徴とする請求項１０、１３又は１４に記載の装置。
【請求項１７】
前記回転情報が回転速度情報を含む場合、現在再生しているマルチメディア情報の再生速度を制御するための速度モジュールを含む
ことを特徴とする請求項１０、１３又は１４に記載の装置。
【請求項１８】
現在再生しているビデオの高速再生を制御する過程中、高速再生の進みに基づいて前記ビデオのプレビュー画像を表示するためのプレビューモジュールを含む
ことを特徴とする請求項１０に記載の装置。
【請求項１９】
プロセッサと、
前記プロセッサが実行可能な命令を記憶するためのメモリと、を含み、
ここで、前記プロセッサは、
外部部材によってトリガーされたスタートイベントを受信した時、前記外部部材が所属するインテリジェントデバイスの回転情報を獲得し、
前記スタートイベントと前記回転情報に基づいて、現在再生しているマルチメディアの再生状態を制御するように構成される
ことを特徴とする再生を制御する装置。
【発明の詳細な説明】
【技術分野】
【０００１】
本発明は、通信及びコンピュータ処理分野に関し、特に、再生を制御する方法及び装置に関する。
【背景技術】
【０００２】
電子技術の発展に伴って、携帯電話、テレビ、コンピュータ等が多く出てきている。更に、多くのデバイスはビデオ再生機能を備えている。ビデオ再生の進み（プログレス）に対する制御には、多くの実現方式があり、例えば、リモコン上のハードウェアプッシュキーで実現する等がある。
【発明の概要】
【発明が解決しようとする課題】
【０００３】
関連する技術に存在する問題を克服するために、本発明は再生を制御する方法及び装置を提供する。
【課題を解決するための手段】
【０００４】
本発明の実施例の第１技術案によれば、再生を制御する方法を提供し、当該方法は、
外部部材によってトリガーされたスタートイベントを受信した時、前記外部部材が所属するインテリジェントデバイスの回転情報を獲得するステップと、
前記スタートイベントと前記回転情報に基づいて、現在再生しているマルチメディアの再生状態を制御するステップと、
を含む。
【０００５】
本発明の実施例で提供された技術案は下記の有益な効果を有する。本実施例は回転情報によってマルチメディアの再生を実現する。更に、外部部材のスタートイベントと回転情報の二重トリガーによって、ビデオを高速再生し始めるように、より正確に制御することができ、誤ったトリガーが減少する。
【０００６】
一つの実施例において、前記外部部材が前記インテリジェントデバイスのケース外側の実体キー、又は前記インテリジェントデバイスがバインディングされたリモートコントロールデバイスの実体キーである場合、前記実体キーを操作して前記スタートイベントをトリガーする。
【０００７】
本発明の実施例で提供された技術案は下記の有益な効果を有する。本実施例は複数の種類のデバイスの実体キーによってスタートイベントをトリガーして、複数の種類の異なる応用場面に適用される。
【０００８】
一つの実施例において、前記外部部材が前記インテリジェントデバイスのケース外側の仮想キー、又は前記インテリジェントデバイスがバインディングされたリモートコントロールデバイスの仮想キーである場合、前記仮想キーをタッチして前記スタートイベントをトリガーする。
【０００９】
本発明の実施例で提供された技術案は下記の有益な効果を有する。本実施例は複数の種類のデバイスの仮想キーによってスタートイベントをトリガーして、複数の種類の異なる応用場面に適用される。
【００１０】
一つの実施例において、前記外部部材が所属するインテリジェントデバイスの回転情報を獲得するステップは、
前記インテリジェントデバイス内部のセンサーによって、前記回転情報を獲得するステップを含む。
【００１１】
本発明の実施例で提供された技術案は下記の有益な効果を有する。本実施例は回転情報を獲得する獲得方式を提供し、自身のセンサーによって獲得することができて、便利に柔軟に制御して、複数の種類の応用場面に適用される。
【００１２】
一つの実施例において、前記外部部材が所属するインテリジェントデバイスの回転情報を獲得するステップは、
前記インテリジェントデバイスとバインディング関係を有するリモートコントロールデバイスによって、前記回転情報を獲得するステップを含む。
【００１３】
本発明の実施例で提供された技術案は下記の有益な効果を有する。本実施例は回転情報を獲得する獲得方式を提供し、外部のリモートコントロールデバイスから獲得することができて、便利に且つ柔軟に制御して、複数の種類の応用場面に適用される。
【００１４】
一つの実施例において、前記回転情報が方向情報を含む場合、現在再生しているマルチメディア情報の再生方向を制御する。
【００１５】
本発明の実施例で提供された技術案は下記の有益な効果を有する。本実施例はビデオ再生方向を制御することを実現する案を提供する。回転情報に基づいて再生方向を制御し、獲得する情報を追加しないので、制御する過程が簡単である。
【００１６】
一つの実施例において、前記回転情報が回転角度情報を含む場合、現在再生しているマルチメディア情報の再生位置を制御する。
【００１７】
本発明の実施例で提供された技術案は下記の有益な効果を有する。本実施例はビデオ再生進み位置を制御することを実現する案を提供する。回転情報に基づいて再生進み位置を制御し、獲得する情報を追加しないので、制御する過程が簡単である。
【００１８】
一つの実施例において、前記回転情報が回転速度情報を含む場合、現在再生しているマルチメディア情報の再生速度を制御する。
【００１９】
本発明の実施例で提供された技術案は下記の有益な効果を有する。本実施例はビデオ再生速度を制御することを実現する案を提供する。回転情報に基づいて再生速度を制御し、獲得する情報を追加しないので、制御する過程が簡単である。
【００２０】
一つの実施例において、前記方法は、
現在再生しているビデオ高速再生を制御する過程中、高速再生の進みに基づいて前記ビデオのプレビュー画像を表示するステップを含む。
【００２１】
本発明の実施例で提供された技術案は下記の有益な効果を有する。本実施例は高速再生する過程中、画像をプレビューする案を提供して、使用者が高速再生する過程中に画像の内容を容易に了解できて、高速再生をより正確に制御できる。
【００２２】
本発明の実施例の第２技術案によれば、再生を制御する装置を提供し、当該装置は、
外部部材によってトリガーされたスタートイベントを受信した時、前記外部部材が所属するインテリジェントデバイスの回転情報を獲得するための獲得モジュールと、
前記スタートイベントと前記回転情報に基づいて、現在再生しているマルチメディアの再生状態を制御するための制御モジュールと、
を含む。
【００２３】
一つの実施例において、前記装置は、
前記外部部材が前記インテリジェントデバイスのケース外側の実体キー、又は前記インテリジェントデバイスがバインディングされたリモートコントロールデバイスの実体キーである場合、前記実体キーを操作して前記スタートイベントをトリガーするための第一トリガーモジュールを含む。
【００２４】
一つの実施例において、前記装置は、
前記外部部材が前記インテリジェントデバイスのケース外側の仮想キー、又は前記インテリジェントデバイスがバインディングされたリモートコントロールデバイスの仮想キーである場合、前記仮想キーをタッチして前記スタートイベントをトリガーするための第二トリガーモジュールを含む。
【００２５】
一つの実施例において、前記獲得モジュールは、
前記インテリジェントデバイス内部のセンサーによって、前記回転情報を獲得するための第一獲得サブモジュールを含む。
【００２６】
一つの実施例において、前記獲得モジュールは、
前記インテリジェントデバイスとバインディング関係を有するリモートコントロールデバイスによって、前記回転情報を獲得するための第二獲得サブモジュールを含む。
【００２７】
一つの実施例において、前記装置は、
前記回転情報が方向情報を含む場合、現在再生しているマルチメディア情報の再生方向を制御するための方向モジュールを含む。
【００２８】
一つの実施例において、前記装置は、
前記回転情報が回転角度情報を含む場合、現在再生しているマルチメディア情報の再生位置を制御するためのジャンプモジュールを含む。
【００２９】
一つの実施例において、前記装置は、
前記回転情報が回転速度情報を含む場合、現在再生しているマルチメディア情報の再生速度を制御するための速度モジュールを含む。
【００３０】
一つの実施例において、前記装置は、
現在再生しているビデオ高速再生を制御する過程中、高速再生の進みに基づいて前記ビデオのプレビュー画像を表示するためのプレビューモジュールを含む。
【００３１】
本発明の実施例の第３技術案によれば、再生を制御する装置を提供し、当該装置は、
プロセッサと、
前記プロセッサが実行可能な命令を記憶するためのメモリと、を含み、
ここで、前記プロセッサは、
外部部材によってトリガーされたスタートイベントを受信した時、前記外部部材が所属するインテリジェントデバイスの回転情報を獲得し、
前記スタートイベントと前記回転情報に基づいて、現在再生しているマルチメディアの再生状態を制御するように構成される。
【００３２】
本発明の実施例の第４技術案によれば、再生を制御する記録媒体を提供し、
前記記録媒体中の命令が移動端末のプロセッサによって実行される時、移動端末が再生を制御する方法を実行する。前記方法は、
外部部材によってトリガーされたスタートイベントを受信した時、前記外部部材が所属するインテリジェントデバイスの回転情報を獲得するステップと、
前記スタートイベントと前記回転情報に基づいて、現在再生しているマルチメディアの再生状態を制御するステップと
を含む。
【００３３】
なお、前記一般的な記載及び後述の詳細な記載は、単なる例示的で解釈的な記載であり、本発明を限定しない。
【図面の簡単な説明】
【００３４】
ここの図面は、明細書に組み入れて本明細書の一部を構成し、本発明に該当する実施例を例示するとともに、明細書とともに本発明の原理を解釈するために用いられる。
【図１】一つの例示的な実施例に示された再生を制御する方法のフローチャートである。
【図２】一例示的な実施例によって示された再生を制御する方法のフローチャートである。
【図３】一例示的な実施例によって示された再生を制御する方法のフローチャートである。
【図４】一例示的な実施例示によって示された再生を制御する方法のフローチャートである。
【図５】一例示的な実施例によって示された再生を制御する装置のブロック図である。
【図６】一例示的な実施例によって示された再生を制御する装置のブロック図である。
【図７】一例示的な実施例によって示された再生を制御する装置のブロック図である。
【図８】一例示的な実施例によって示された獲得モジュールのブロック図である。
【図９】一例示的な実施例によって示された獲得モジュールのブロック図である。
【図１０】一例示的な実施例によって示された再生を制御する装置のブロック図である。
【図１１】一例示的な実施例によって示された再生を制御する装置のブロック図である。
【図１２】一例示的な実施例によって示された再生を制御する装置のブロック図である。
【図１３】一例示的な実施例によって示された再生を制御する装置のブロック図である。
【図１４】一例示的な実施例によって示された装置のブロック図である。
【図１５】一例示的な実施例によって示された装置のブロック図である。
【発明を実施するための形態】
【００３５】
以下、例示的な実施例を詳しく説明し、その例示を図面に示す。以下の記載が図面に関わる場合、特に別の説明がない限り、異なる図面における同一符号は、同じ又は類似する要素を示す。以下の例示的な実施例に記載の実施例は、本発明と一致する全ての実施例を代表するものではない。即ち、それらは、特許請求の範囲に記載の本発明のある側面に一致する装置及び方法の例に過ぎない。
【００３６】
関連する技術において、携帯電話、パソコン、テレビ等のデバイスはビデオを再生する機能を備えている。使用者がビデオを見ている過程中、興味を持っていないビデオ内容については早送り再生を使用することができ、特に興味を持っている内容又はよく見られなかったビデオ内容については、早戻し再生を使用することができる。早送り又は早戻し再生に対しての制御は、リモコンに設けられた対応するプッシュキーで実現される。タッチスクリーンを備えるデバイスにおいては、インターフェースでのプログレスバーのスライダーをドラッグ又は引くことによって実現される。しかし、早送り又は早戻しのプッシュキーを備えていないリモートコントローラの場合、又はタッチスクリーンの操作が不便な場合、上記の方式が適用されないことが多い。
【００３７】
上記の問題を解決するために、本実施例では、デバイスの回転によってデバイスの回転情報を獲得し、これによって、ビデオの高速再生を制御することができる。これによって、多くのプッシュキーを制御する必要がなく、タッチスクリーンを操作する必要もないので、使用者がビデオの高速再生を制御することが便利になる。
【００３８】
図１は一例示的な実施例に示された再生を制御する方法のフローチャートであり、図１に示されたように、当該方法は移動端末等のビデオ再生機能を備えるデバイスによって実現され、下記のようなステップを含む：
ステップ１０１において、外部部材によってトリガーされたスタートイベントを受信した時、前記外部部材が所属するインテリジェントデバイスの回転情報を獲得する。
【００３９】
ステップ１０２において、前記スタートイベントと前記回転情報に基づいて、現在再生しているマルチメディアの再生状態を制御する。
【００４０】
本実施例において、外部部材はプッシュキー、レバー等の部材である。スタートイベントはプッシュキーをトリガーするプッシュキーイベントであるか、又はレバーをリモートコントロールするシェイクイベントである。マルチメディアはビデオとオーディオ等を含む。再生状態は再生速度、再生角度、再生方向等を含む。
【００４１】
本実施例では、回転情報の制御によってマルチメディアの再生を実現できる。更に、外部部材のスタートイベントと回転情報を二重トリガーすることによって、ビデオを高速再生し始めるように、より正確に制御することができ、誤ったトリガーを減少することができる。
【００４２】
プッシュキーによってビデオ高速再生をトリガーする例として、本実施例では、
プッシュキーによってトリガーされたプッシュキーイベントを受信した時、回転情報を獲得する。
【００４３】
前記プッシュキーイベントと前記回転情報に基づいて、現在再生しているビデオを高速再生し始めるように制御する。
【００４４】
本実施例では、プッシュキートによってトリガーされたプッシュキーイベントを受信した時、回転情報を獲得し始め、プッシュキーイベントと回転情報のその２つの条件を満足すると、ビデオを高速再生し始めるように制御する。単一条件で制御する案に比べて、ビデオをより正確に制御することができ、且つ他のものによるビデオに対する制御処理と区別することができる。
【００４５】
プッシュキートによってトリガーされたプッシュキーイベントを受信する前に、回転情報を獲得し、この場合、回転情報に基づいてビデオを他の処理を行うように制御することができ、プッシュキートによってトリガーされたプッシュキーイベントを受信したら、ビデオの高速再生に対しての制御に切り替える。
【００４６】
ここで、ステップ１０１では、回転情報を継続的に獲得することができる。継続的に獲得した回転情報によってビデオ高速再生を制御する。回転が発生しなくて、回転情報を獲得することができなく、又は獲得した回転情報が０である場合、ビデオ高速再生を停止する。
【００４７】
一つの実施例において、前記プッシュキーイベントは、一つ又は複数のプッシュキーを長時間押すイベント、又は一つ又は複数のプッシュキーをダブルクリックするイベント、又は複数のプッシュキーをクリックするイベントを含む。
【００４８】
本実施例において、プッシュキーイベントは複数の種類があり、複数の種類の異なる応用場面に適用される。
【００４９】
ここで、プッシュキーイベントが一つ又は複数のプッシュキーを長時間押すイベントの場合、長時間押し始める時、ビデオ高速再生の制御を始める。長時間押すことが終わる時、ビデオ高速再生を停止する。
【００５０】
プッシュキーイベントが一つ又は複数のプッシュキーをダブルクリックするイベント、又は複数のプッシュキーをクリックするイベントの時、初めてプッシュキーイベントが発生して、ビデオ高速再生の制御を始める。もう一度プッシュキーイベントが発生する時、即ち、もう一度一つ又は複数の同じプッシュキーをダブルクリックするか、又はもう一度複数の同じプッシュキーをクリックする時、ビデオ高速再生を停止する。
【００５１】
ビデオ高速再生を停止する時、回転情報の獲得を停止する。又は、回転情報を継続的に獲得する時、回転情報を獲得する単一イベントとして処理される。
【００５２】
一つの実施例において、前記外部部材が前記インテリジェントデバイスのケース外側の実体キー、又は前記インテリジェントデバイスがバインディングされたリモートコントロールデバイスの実体キーである場合、前記実体キーを操作して前記スタートイベントをトリガーする。
【００５３】
本実施例では、複数の種類のデバイスの実体キーによってスタートイベントをトリガーすることが提供され、これは複数の種類の異なる応用場面に適用される。
【００５４】
一つの実施例において、前記外部部材が前記インテリジェントデバイスのケース外側の仮想キー、又は前記インテリジェントデバイスがバインディングされたリモートコントロールデバイスの仮想キーである場合、前記仮想キーをタッチして前記スタートイベントをトリガーする。
【００５５】
本実施例では、複数の種類のデバイスの仮想キーによってスタートイベントをトリガーすることが提供され、これは複数の異なる応用場面に適用される。
【００５６】
本実施例の実行主体は移動端末、パソコン、テレビ等である。プッシュキーは仮想現実ヘッドマウントディスプレイデバイス（又はＶＲメガネと称する）、移動端末、リモートコントロールハンドル等から提供される。即ち、プッシュキーは自身が携帯するデバイスのプッシュキーであってもよいし、外部接続するデバイスのプッシュキーであってもいい。
【００５７】
例えば、実行主体が移動端末である時、移動端末自身が持っている仮想プッシュキー又はハードウェアプッシュキーをトリガーすることが可能であり、これは、移動端末がプッシュキーイベントを受信したことに相当する。又は、移動端末がＶＲメガネと接続して（有線接続又は無線接続を含む）、ＶＲメガネでのプッシュキーをクリックするか長時間押すと、ＶＲメガネはプッシュキーをトリガーすることにより発生されたプッシュキーイベントを移動端末に送信し、移動端末はプッシュキーイベントを受信する。移動端末は自身の回転により回転情報を獲得することができ、またプッシュキーイベントと回転情報に基づいてビデオの高速再生を制御することができる。
【００５８】
例えば、ＶＲメガネは自身のプッシュキーによってトリガーされたプッシュキーイベントを獲得するか、又はリモートコントロールハンドルから送信されたプッシュキーイベントを獲得することができる。ＶＲメガネはプッシュキーイベントを移動端末に送信し、移動端末は受信したプッシュキーイベントによってビデオの高速再生を制御する。
【００５９】
一つの実施例において、ステップ１０１はステップＡ１を含む。
【００６０】
ステップＡ１において、前記インテリジェントデバイス内部のセンサーによって、前記回転情報を獲得する。
【００６１】
本実施例では、回転情報を獲得する獲得方式を提供し、自身のセンサーによって獲得して、便利に且つ柔軟に制御して、複数の種類の応用場面に適用できる。
【００６２】
一つの実施例において、ステップ１０１はステップＡ２を含む。
【００６３】
ステップＡ２において、前記インテリジェントデバイスとバインディング関係を有するリモートコントロールデバイスによって、前記回転情報を獲得する。
【００６４】
本実施例では、回転情報を獲得する獲得方式を提供し、外部のリモートコントロールデバイスから獲得することができて、便利に且つ柔軟に制御して、複数の種類の応用場面に適用できる。
【００６５】
本実施例では、自身内部のセンサーによって回転情報を獲得することができ、また外部のデバイスによって回転情報を獲得することができる。例えば、バインディングした仮想現実ヘッドマウントディスプレイデバイスによって回転情報を獲得することができる。又は、バインディングした移動端末によって回転情報を獲得することができる。又は、バインディングしたリモートコントロールハンドルによって回転情報を獲得することができる。
【００６６】
本実施例の実行主体には移動端末、パソコン、テレビ等がある。回転情報を直接獲得するデバイスは、仮想現実ヘッドマウントディスプレイデバイス（又はＶＲメガネと称する）、移動端末、リモートコントロールハンドル等である。即ち、回転情報を獲得するデバイスは外部接続したデバイスであってもよい。更に、プッシュキーイベントを発生するデバイスと結合する。本実施例では、プッシュキーイベントを発生するデバイスと、回転情報を検出したデバイスと、ビデオ再生を制御するデバイスは、同一のデバイスであってもよいし、二つ又は三つのデバイスであってもよい。
【００６７】
例えば、移動端末自身が持っている仮想プッシュキー又はハードウェアプッシュキーをトリガーすることができて、これは移動端末がプッシュキーイベントを受信したことに相当する。移動端末は、自身の回転によって回転情報を獲得することができ、同時に移動端末は、ビデオ再生するようにする。従って、移動端末は、自身が発生したプッシュキーイベントと獲得した回転情報に基づいて、ビデオの高速再生を制御することができる。
【００６８】
例えば、ＶＲメガネは、自身が持っているプッシュキーによってプッシュキーイベントを獲得し、及びＶＲメガネがジャイロスコープ等のインダクタを含んで、自身の回転によって回転情報を獲得することができる。移動端末はビデオ再生をするようにする。ＶＲメガネはプッシュキーイベントと回転情報を移動端末に送信する。移動端末は、受信したプッシュキーイベントと回転情報に基づいてビデオ高速再生を制御する。
【００６９】
本実施例において、プッシュキーイベントと回転情報はビデオを高速再生し始めるようにトリガーする。高速再生することは、必ずしも瞬間的な制御ではなく、継続に高速再生することでもよい。継続的に高速再生する過程中、継続的に獲得した回転情報に基づいて制御することができる。
【００７０】
一つの実施例において、前記回転情報が方向情報を含む場合、現在再生しているマルチメディア情報の再生方向を制御する。
【００７１】
例えば、前記回転方向情報に基づいて、現在再生しているビデオ高速再生の方向を制御する。
【００７２】
本実施例において、高速再生の方向は早送りと早戻しを含む。
【００７３】
回転方向情報は左向き回転又は右向き回転を含む。例えば、左向き回転によってビデオ早戻しを制御し、右向き回転によってビデオ早送りを制御する。
【００７４】
又は、回転方向情報は上向き回転又は下向き回転を含む。例えば、上向き回転によってビデオ早戻しを制御し、下向き回転によってビデオ早送りを制御する。
【００７５】
回転方向情報と高速再生の方向の対応関係は予め固定して設定することができるし、使用者が自分の習慣によって柔軟に設定することもできる。
【００７６】
一つの実施例において、前記回転情報が回転角度情報を含む場合、現在再生しているマルチメディア情報の再生位置を制御する。
【００７７】
例えば、前記回転角度情報に基づいて、現在再生しているビデオ高速再生を対応する進み位置まで制御する。
【００７８】
回転角度情報と進み位置の対応関係を予め設定してもよい。例えば、回転角度情報が５度ごとに変化することに従って、進み位置はビデオの全長の５%変化する。高速再生し始めた後、０.５秒ごとに回転情報を一回獲得して、回転角度情報を確定する。例えば、０.５秒ごとに回転角度情報が５度変化する時、０.５秒ごとに再生進み位置を５%変化するように制御する。
【００７９】
又は、一度に高速回転することもできる。回転が停止した時に回転角度情報を獲得して、当該回転角度情報に基づいてビデオ再生を対応する進み位置に直接ジャンプするように制御する。
【００８０】
本実施例において、回転の初期位置はプッシュキーイベントを受信した時の位置によって確定される。
【００８１】
一つの実施例において、前記回転情報が回転速度情報を含む場合、現在再生しているマルチメディア情報の再生速度を制御する。
【００８２】
例えば、前記回転速度情報に基づいて、現在再生しているビデオ高速再生の速度を制御する。
【００８３】
回転速度情報と高速再生の速度の対応関係を予め設定することができる。回転速度が速いほど、高速再生の速度も速い。例えば、高速再生し始めた後、０.５秒ごとに回転情報を一回獲得して、回転速度情報を確定し、例えば、回転速度情報が一秒ごとに５度である場合、ビデオを一秒ごとに５%の速度で高速再生させるように制御する。ここで、５%はビデオ全長の５%を指す。回転が停止する時、ビデオ高速再生を停止する。
【００８４】
本実施例では、回転の初期位置はプッシュキーイベントを受信した時の位置によって確定する。
【００８５】
一つの実施例において、前記方法は、
現在再生しているビデオ高速再生を制御する過程中、高速再生の進みに基づいて前記ビデオのプレビュー画像を表示することを含む。
【００８６】
高速再生は継続的な過程であり、使用者が高速再生過程中、ビデオの大体の内容を了解して、ビデオ高速再生の終了位置をより正確に制御するようにするために、本実施例では、プレビュー画像を提供する。プレビュー画像は、高速再生に対応するビデオフラグメントから抽出したビデオ画像であり、原ビデオ画像の縮小図であるか、又は原ビデオ画像の底層画像である。高速再生の過程中、使用者のビデオ画像の質の要求は高くなく、且つ早く経過するので、縮小図又は底層画像を採用したら画像を解凍する過程を縮減して、プレビュー画像をより早く獲得する。
【００８７】
例えば、プレビュー画像を獲得するには多くの実現方式があり、例えば、５フレームごとに一フレームのプレビュー画像を獲得する。又は０.５秒ごとに一フレームの現在再生位置のプレビュー画像を獲得し、隣接する２つのフレームのプレビュー画像の間隔距離は回転速度と関係がある。
【００８８】
以下、複数の実施例によって実現過程を詳細に説明する。
【００８９】
図２は一例示的な実施例によって示された再生を制御する方法のフローチャートであり、図２に示したように、当該方法は移動端末等のビデオ再生機能を備えるデバイスによって実現され、以下のステップを含む：
ステップ２０１において、移動端末は、自身のプッシュキーによりトリガーされたプッシュキーイベントを受信する。
【００９０】
ステップ２０２において、移動端末は、自身の回転によって回転情報を獲得する。回転情報は回転方向情報と回転角度情報を含む。
【００９１】
ステップ２０３において、移動端末は、前記プッシュキーイベントと回転情報に基づいて、現在再生しているビデオが高速再生し始めるように制御する。
【００９２】
ステップ２０４において、移動端末は、前記回転方向情報に基づいて、現在再生しているビデオ高速再生の方向を制御する。
【００９３】
ステップ２０５において、移動端末は、前記回転角度情報に基づいて、現在再生しているビデオ高速再生を対応する進み位置まで制御する。
【００９４】
初期制御の時、ステップ２０３、ステップ２０４とステップ２０５は同期に行うことができる。
【００９５】
継続的に高速再生を行うように、ステップ２０２とステップ２０５を繰り返して実行することもできる。回転情報を獲得することを停止するか、又は回転情報が０であるか、又はプッシュキーイベントのトリガーが停止する時、高速再生が終了する。
【００９６】
図３は一例示的な実施例によって示した再生を制御する方法のフローチャートであり、図３に示したように、当該方法は移動端末とＶＲメガネによって実現され、以下のステップを含む：
ステップ３０１において、ＶＲメガネは、自身のプッシュキーによってトリガーされたプッシュキーイベントを受信する。
【００９７】
ステップ３０２において、ＶＲメガネは、自身の回転に基づいて回転情報を獲得する。回転情報は回転方向情報と回転速度情報を含む。
【００９８】
ステップ３０３において、移動端末は、ＶＲメガネから送信されたプッシュキーイベントと回転情報に基づいて、現在再生しているビデオを高速再生し始めるように制御する。
【００９９】
ステップ３０４において、移動端末は、前記回転方向情報に基づいて、現在再生しているビデオ高速再生の方向を制御する。
【０１００】
ステップ３０５において、移動端末は、前記回転速度情報に基づいて、現在再生しているビデオ高速再生の速度を制御する。
【０１０１】
継続的に高速再生を行うように、ステップ３０２とステップ３０５を繰り返して実行することもできる。即ち、ＶＲメガネは継続的に回転情報を獲得して、継続的に移動端末に送信する。移動端末は、受信した回転情報に基づいて継続的に高速再生を制御する。
【０１０２】
プッシュキーイベントのトリガーによって、回転方向は左右変化することができ、必ずしも一つ方向を向けることではない。これから、高速再生も早送りと早戻しの間で、対応する変換を行う。
【０１０３】
図４は一例示的な実施例示によって示された再生を制御する方法のフローチャートであり、図４に示したように、当該方法は移動端末、リモートコントロールハンドル及びＶＲメガネによって実現され、以下のステップを含む：
ステップ４０１において、リモートコントロールハンドルは、自身のプッシュキーによってトリガーされたプッシュキーイベントを受信して、移動端末に送信する。
【０１０４】
ステップ４０２において、ＶＲメガネは、自身の回転によって回転情報を獲得して、移動端末に送信する。回転情報は回転方向情報と回転速度情報を含む。
【０１０５】
ステップ４０３において、移動端末は、プッシュキーイベントと回転情報に基づいて、現在再生しているビデオを高速再生し始めるように制御する。
【０１０６】
ステップ４０４において、移動端末は、前記回転方向情報に基づいて、現在再生しているビデオ高速再生の方向を制御する。
【０１０７】
ステップ４０５において、移動端末は、前記回転速度情報に基づいて、現在再生しているビデオ高速再生の速度を制御する。
【０１０８】
ステップ４０６において、移動端末が現在再生しているビデオ高速再生を制御する過程中、高速再生の進みに基づいて前記ビデオのプレビュー画像を表示する。
【０１０９】
以上の説明によって再生を制御する実現する過程を説明し、当該過程は移動端末等によって実現され、以下はデバイスの内部構成と機能について説明する。
【０１１０】
図５は一例示的な実施例によって示された再生を制御する装置の図面である。図５を参照すると、当該装置は、獲得モジュール５０１と制御モジュール５０２を含む。
【０１１１】
獲得モジュール５０１は、外部部材によってトリガーしたスタートイベントを受信した時、前記外部部材が所属するインテリジェントデバイスの回転情報を獲得する。例えば、プッシュキーによってトリガーされたプッシュキーイベントを受信した時、回転情報を獲得する。
【０１１２】
制御モジュール５０２は、前記スタートイベントと前記回転情報に基づいて、現在再生しているマルチメディアの再生状態を制御する。例えば、前記プッシュキーイベントと前記回転情報に基づいて、現在再生しているビデオを高速再生し始めるように制御する。
【０１１３】
一つの実施例において、前記プッシュキーイベントは、一つ又は複数のプッシュキーを長時間押すイベント、又は一つ又は複数のプッシュキーをダブルクリックするイベント、又は複数のプッシュキーをクリックするイベントを含む。
【０１１４】
一つの実施例において、前記プッシュキーは、バインディングした仮想現実ヘッドマウントディスプレイデバイスのハードウェアプッシュキー、バインディングした移動端末での仮想プッシュキー又はハードウェアプッシュキー、又はバインディングしたリモートコントロールハンドルでのハードウェアプッシュキーを含む。
【０１１５】
一つの実施例において、図６に示したように、前記装置は、
前記外部部材が前記インテリジェントデバイスのケース外側の実体キー、又は前記インテリジェントデバイスがバインディングされたリモートコントロールデバイスの実体キーである場合、前記実体キーを操作して前記スタートイベントをトリガーするための第一トリガーモジュール５０３を含む。
【０１１６】
一つの実施例において、図７に示したように、前記装置は、
前記外部部材が前記インテリジェントデバイスのケース外側の仮想キー、又は前記インテリジェントデバイスがバインディングされたリモートコントロールデバイスの仮想キーである場合、前記仮想キーをタッチして前記スタートイベントをトリガーするための第二トリガーモジュール５０４を含む。
【０１１７】
一つの実施例において、図８に示したように、前記獲得モジュール５０１は、
前記インテリジェントデバイス内部のセンサーによって、前記回転情報を獲得するための第一獲得サブモジュール６０１を含む。
【０１１８】
一つの実施例において、図９に示したように、前記獲得モジュール５０１は、
前記インテリジェントデバイスとバインディング関係を有するリモートコントロールデバイスによって、前記回転情報を獲得するための第二獲得サブモジュール６０２を含む。
【０１１９】
一つの実施例において、獲得モジュール５０１は、バインディングした仮想現実ヘッドマウントディスプレイデバイスによって回転情報を獲得する。又は、バインディングした移動端末によって回転情報を獲得する。又は、バインディングしたリモートコントロールハンドルによって回転情報を獲得する。
【０１２０】
一つの実施例において、前記回転情報は回転方向情報を含む、
図１０に示したように、前記装置は方向モジュール７０１を含む。
【０１２１】
方向モジュール７０１は、前記回転情報が方向情報を含む場合、現在再生しているマルチメディア情報の再生方向を制御する。例えば、前記回転方向情報に基づいて、現在再生しているビデオ高速再生の方向を制御する。
【０１２２】
一つの実施例において、前記回転情報は回転角度情報を含む、
図１１に示したように、前記装置はジャンプモジュール８０１を含む。
【０１２３】
ジャンプモジュール８０１は、前記回転情報が回転角度情報を含む場合、現在再生しているマルチメディア情報の再生位置を制御する。例えば、前記回転角度情報に基づいて、現在再生しているビデオ高速再生を対応する進み位置まで制御する。
【０１２４】
一つの実施例において、前記回転情報は回転速度情報を含む、
図１２に示したように、前記装置は速度モジュール９０１を含む。
【０１２５】
速度モジュール９０１は、前記回転情報が回転速度情報を含む場合、現在再生しているマルチメディア情報の再生速度を制御する。例えば、前記回転速度情報に基づいて、現在再生しているビデオ高速再生の速度を制御する。
【０１２６】
一つの実施例において、図１３に示したように、前記装置はプレビューモジュール１００１を含む。
【０１２７】
プレビューモジュール１００１は、現在再生しているビデオ高速再生を制御する過程中、高速再生の進みに基づいて前記ビデオのプレビュー画像を表示する。
【０１２８】
上記の実施例中の装置について、それぞれのモジュールが操作を実行する具体的な方式は、方法の実施例で詳細に説明したので、ここでは、その部分について詳細に説明しない。
【０１２９】
図１４は他の例示的実施例に係る再生を制御する装置１４００を示すブロック図である。例えば、装置１４００は、携帯電話、コンピュータ、デジタルブロードキャスト端末、メッセージ送受信機、ゲーム機、タブレットデバイス、医療機器、フィットネス機器、ＰＤＡ等であってもよい。
【０１３０】
図１４を参照すると、装置１４００は、プロセスアセンブリ１４０２、メモリ１４０４、電源アセンブリ１４０６、マルチメディアアセンブリ１４０８、オーディオアセンブリ１４１０、入力/出力（Ｉ/Ｏ）インターフェース１４１２、センサーアセンブリ１４１４、及び通信アセンブリ１４１６からなる群から選ばれる少なくとも１つを備えてもよい。
【０１３１】
プロセスアセンブリ１４０２は、一般的には、装置１４００の全体の操作、例えば、表示、電話呼び出し、データ通信、カメラ操作及び記録操作に関連する操作を制御する。プロセスアセンブリ１４０２は、上述した方法におけるステップの一部又は全部を実現できるように、命令を実行する少なくとも１つのプロセッサ１４２０を備えてもよい。また、プロセスアセンブリ１４０２は、他のアセンブリとのインタラクションを便利にさせるように、少なくとも１つのモジュールを備えてもよい。例えば、プロセスアセンブリ１４０２は、マルチメディアアセンブリ１４０８とのインタラクションを便利にさせるように、マルチメディアモジュールを備えてもよい。
【０１３２】
メモリ１４０４は、装置１４００での操作をサポートするように、各種のデータを記憶するように構成される。これらのデータは、例えば、装置１４００で何れのアプリケーション又は方法を操作するための命令、連絡先データ、電話帳データ、メッセージ、画像、ビデオ等を含む。メモリ１４０４は、何れの種類の揮発性又は不揮発性メモリ、例えば、ＳＲＡＭ（Ｓｔａｔｉｃ Ｒａｎｄｏｍ Ａｃｃｅｓｓ Ｍｅｍｏｒｙ）、ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（Ｐｒｏｇｒａｍｍａｂｌｅ ＲＯＭ）、ＲＯＭ（Ｒｅａｄ Ｏｎｌｙ Ｍｅｍｂｅｒ）、磁気メモリ、フラッシュメモリ、磁気ディスク、或いは光ディスクにより、或いはそれらの組み合わせにより実現することができる。
【０１３３】
電源アセンブリ１４０６は、装置１４００の各種アセンブリに電力を供給するためのものであり、電源管理システム、１つ又は複数の電源、及び装置１４００のために電力を生成、管理及び分配することに関連する他のアセンブリを備えてもよい。
【０１３４】
マルチメディアアセンブリ１４０８は、装置１４００とユーザとの間に出力インターフェースを提供するスクリーンを備えてもよい。スクリーンは、例えば、液晶ディスプレイ（ＬＣＤ）やタッチパネル（ＴＰ）を備えてもよい。スクリーンは、タッチパネルを備える場合、ユーザからの入力信号を受信するように、タッチスクリーンになることができる。また、タッチパネルは、タッチや、スライドや、タッチパネル上の手振りを感知するように、少なくとも１つのタッチセンサーを有する。タッチセンサーは、タッチやスライド動作の境界を感知できるだけではなく、タッチやスライド操作と関連する持続時間や圧力も感知できる。一実施例では、マルチメディアアセンブリ１４０８は、フロントカメラ及び/又はバックカメラを有してもよい。装置１４００が、例えば、撮影モードやビデオモードのような操作モードにある時、フロントカメラ及び/又はバックカメラが外部のマルチメディアデータを受信できる。フロントカメラ及びバックカメラのそれぞれは、固定の光学レンズ系であってもよいし、焦点距離及び光学ズーム能力を有するものであってもよい。
【０１３５】
オーディオアセンブリ１４１０は、オーディオ信号を出力及び/又は入力するように構成される。例えば、オーディオアセンブリ１４１０は、マイクロフォン（ＭｉＣ）を有してもよい。装置１４００が、例えば、呼び出しモード、記録モード、又は音声認識モードのような操作モードにあるとき、マイクロフォンは、外部のオーディオ信号を受信するように構成される。受信したオーディオ信号は、メモリ１４０４にさらに記憶されてもよいし、通信アセンブリ１４１６を介して送信されてもよい。一実施例では、オーディオアセンブリ１４１０は、オーディオ信号を出力するためのスピーカをさらに備えてもよい。
【０１３６】
Ｉ/Ｏインターフェース１４１２は、プロセスアセンブリ１４０２と外部のインターフェースモジュールとの間にインターフェースを提供するためのものである。上記外部のインターフェースモジュールは、キーボードや、クリックホイールや、ボタン等であってもよい。これらのボタンは、ホームボタンや、音量ボタンや、スタートボタンや、ロックボタンであってもよいが、それらに限らない。
【０１３７】
センサーアセンブリ１４１４は、装置１４００のために各方面の状態を評価する少なくとも１つのセンサーを備えてもよい。例えば、センサーアセンブリ１４１４は、装置１４００のオン/オフ状態や、アセンブリの相対的な位置を検出することができる。例えば、前記アセンブリは、装置１４００のディスプレイ及びキーパッドである。センサーアセンブリ１４１４は、装置１４００又は装置１４００の１つのアセンブリの位置の変化や、ユーザが装置１４００に接触しているか否かや、装置１４００の方向又は加速/減速や、装置１４００の温度変化を検出することができる。センサーアセンブリ１４１４は、何れの物理的な接触もない場合に付近の物体を検出するように構成される近接センサーを有してもよい。センサーアセンブリ１４１４は、イメージングアプリケーションに用いるための光センサー、例えば、ＣＭＯＳ又はＣＣＤ画像センサーを有してもよい。一実施例では、当該センサーアセンブリ１４１４は、加速度センサー、ジャイロスコープセンサー、磁気センサー、圧力センサー又は温度センサーをさらに備えてもよい。
【０１３８】
通信アセンブリ１４１６は、装置１４００と他のデバイスの間との無線又は有線通信を便利にさせるように構成される。装置１４００は、通信標準に基づく無線ネットワーク、例えば、ＷｉＦｉ、２Ｇ又は３Ｇ、又はそれらの組み合わせにアクセスできる。１つの例示的な実施例では、通信アセンブリ１４１６は、ブロードキャストチャンネルを介して外部のブロードキャスト管理システムからのブロードキャスト信号又はブロードキャストに関する情報を受信する。１つの例示的な実施例では、前記通信アセンブリ１４１６は、近距離通信を促進するために近距離無線通信（ＮＦＣ）モジュールをさらに備えてもよい。例えば、ＮＦＣモジュールは、無線周波数認識装置（ＲＦＩＤ：Ｒａｄｉｏ Ｆｒｅｑｕｅｎｃｙ ＩＤｅｎｔｉｆｉｃａｔｉｏｎ）技術、赤外線データ協会（ＩｒＤＡ：Ｉｎｆｒａｒｅｄ Ｄａｔａ Ａｓｓｏｃｉａｔｉｏｎ）技術、超広帯域無線（ＵＷＢ：Ｕｌｔｒａ Ｗｉｄｅ Ｂａｎｄ）技術、ブルートゥース（登録商標）（ＢＴ：Ｂｌｕｅｔｏｏｔｈ（登録商標））技術及び他の技術によって実現されてもよい。
【０１３９】
例示的な実施例では、装置１４００は、上述した方法を実行するために、１つ又は複数の特定用途向け集積回路（ＡＳＩＣ：Ａｐｐｌｉｃａｔｉｏｎ Ｓｐｅｃｉｆｉｃ Ｉｎｔｅｇｒａｔｅｄ Ｃｉｒｃｕｉｔ）、デジタル信号プロセッサ（ＤＳＰ：Ｄｉｇｉｔａｌ Ｓｉｇｎａｌ Ｐｒｏｃｅｓｓｏｒ）、数字信号処理デバイス（ＤＳＰＤ：Ｄｉｇｉｔａｌ Ｓｉｇｎａｌ Ｐｒｏｃｅｓｓｉｎｇ Ｄｅｖｉｃｅ）、プログラム可能論理デバイス（ＰＬＤ：Ｐｒｏｇｒａｍｍａｂｌｅ Ｌｏｇｉｃ Ｄｅｖｉｃｅ）、書替え可能ゲートアレイ（ＦＰＧＡ：Ｆｉｅｌｄ−Ｐｒｏｇｒａｍｍａｂｌｅ Ｇａｔｅ Ａｒｒａｙ）、コントローラ、マイクロコントローラ、マイクロプロセッサ、又は他の電子機器によって実現されてもよい。
【０１４０】
例示的な実施例では、命令を有する非一時的コンピュータ読み取り可能な記録媒体、例えば、命令を有するメモリ１４０４をさらに提供する。前記命令は、装置１４００のプロセッサ１４２０により実行されて上述した方法を実現する。例えば、前記非一時的コンピュータ読み取り可能な記録媒体は、ＲＯＭ、ＲＡＭ、ＣＤ-ＲＯＭ、磁気テープ、フロッピー（登録商標）ディスク及び光データメモリ等であってもよい。
【０１４１】
再生を制御する装置は、
プロセッサと、
前記プロセッサが実行可能な命令を記憶するためのメモリと、を含み、
ここで、前記プロセッサは、
外部部材によってトリガーされたスタートイベントを受信した時、前記外部部材が所属するインテリジェントデバイスの回転情報を獲得し、
前記スタートイベントと前記回転情報に基づいて、現在再生しているマルチメディアの再生状態を制御するように構成される。
【０１４２】
前記プロセッサは、
前記外部部材が前記インテリジェントデバイスのケース外側の実体キー、又は前記インテリジェントデバイスがバインディングされたリモートコントロールデバイスの実体キーである場合、前記実体キーを操作して前記スタートイベントをトリガーするように構成される。
【０１４３】
前記プロセッサは、
前記外部部材が前記インテリジェントデバイスのケース外側の仮想キー、又は前記インテリジェントデバイスがバインディングされたリモートコントロールデバイスの仮想キーである場合、前記仮想キーをタッチして前記スタートイベントをトリガーするように構成される。
【０１４４】
前記プロセッサは、
前記外部部材が所属するインテリジェントデバイスの回転情報を獲得することが、
前記インテリジェントデバイス内部のセンサーによって、前記回転情報を獲得することを含むように構成される。
【０１４５】
前記プロセッサは、
前記外部部材が所属するインテリジェントデバイスの回転情報を獲得することが、
前記インテリジェントデバイスとバインディング関係を有するリモートコントロールデバイスによって、前記回転情報を獲得することを含むように構成される。
【０１４６】
前記プロセッサは、
前記回転情報が方向情報を含む場合、現在再生しているマルチメディア情報の再生方向を制御するように構成される。
【０１４７】
前記プロセッサは、
前記回転情報が回転角度情報を含む場合、現在再生しているマルチメディア情報の再生位置を制御するように構成される。
【０１４８】
前記プロセッサは、
前記回転情報が回転速度情報を含む場合、現在再生しているマルチメディア情報の再生速度を制御するように構成される。
【０１４９】
前記プロセッサは、
現在再生しているビデオ高速再生を制御する過程中、高速再生の進みに基づいて前記ビデオのプレビュー画像を表示するように構成される。
【０１５０】
非一時的コンピュータ可読記録媒体は、前記記録媒体における命令が端末のプロセッサにより実行されると、移動端末が再生を制御する方法を実行するようにする。
【０１５１】
前記方法は、
外部部材によってトリガーされたスタートイベントを受信した時、前記外部部材が所属するインテリジェントデバイスの回転情報を獲得するステップと、
前記スタートイベントと前記回転情報に基づいて、現在再生しているマルチメディアの再生状態を制御するステップを含む。
【０１５２】
前記記録媒体中の命令は、
前記外部部材が前記インテリジェントデバイスのケース外側の実体キー、又は前記インテリジェントデバイスがバインディングされたリモートコントロールデバイスの実体キーである場合、前記実体キーを操作して前記スタートイベントをトリガーする命令を含む。
【０１５３】
前記記録媒体中の命令は、
前記外部部材が前記インテリジェントデバイスのケース外側の仮想キー、又は前記インテリジェントデバイスがバインディングされたリモートコントロールデバイスの仮想キーである場合、前記仮想キーをタッチして前記スタートイベントをトリガーする命令を含む。
【０１５４】
前記記録媒体中の命令は、
前記外部部材が所属するインテリジェントデバイスの回転情報を獲得することが、
前記インテリジェントデバイス内部のセンサーによって、前記回転情報を獲得することを含む
命令を含む。
【０１５５】
前記記録媒体中の命令は、
前記外部部材が所属するインテリジェントデバイスの回転情報を獲得することが、
前記インテリジェントデバイスとバインディング関係を有するリモートコントロールデバイスによって、前記回転情報を獲得することを含む
命令を含む。
【０１５６】
前記記録媒体中の命令は、
前記回転情報が方向情報を含む場合、現在再生しているマルチメディア情報の再生方向を制御する命令を含む。
【０１５７】
前記記録媒体中の命令は、
前記回転情報が回転角度情報を含む場合、現在再生しているマルチメディア情報の再生位置を制御する命令を含む。
【０１５８】
前記記録媒体中の命令は、
前記回転情報が回転速度情報を含む場合、現在再生しているマルチメディア情報の再生速度を制御する命令を含む。
【０１５９】
前記記録媒体中の命令は、
前記方法が、
現在再生しているビデオ高速再生を制御する過程中、高速再生の進みに基づいて前記ビデオのプレビュー画像を表示する
命令を含む。
【０１６０】
図１５は他の例示的実施例に係る再生を制御する装置１５００を示すブロック図である。例えば、装置１５００はコンピュータとして提供されてもよい。図１５を参照すると、装置１５００は、１つ以上のプロセッサがさらに含まれたプロセスアセンブリ１５２２と、プロセスアセンブリ１５２２により実行可能な命令、例えばプログラムを記憶するメモリ１５３２を代表とするメモリリソースとを含む。メモリ１５３２に記憶されたアプリケーションプログラムは、１つ以上のそれぞれが一組の命令に対応するモジュールを含んでもよい。また、前記いずれか１つの実施例に提供された方法を実行して再生を制御するために、プロセスアセンブリ１５２２は命令を実行するように構成される。
【０１６１】
装置１５００は、装置１５００の電源管理を実行するように構成された電源アセンブリ１５２６と、装置１５００をインターネットに接続させるように構成された有線又は無線インターネットインターフェース１５５０と、入力/出力（Ｉ/Ｏ）インターフェース１５５８とを備えてもよい。装置１５００はメモリ１５３２に記憶された操作システム、例えばＷｉｎｄｏｗｓ ＳｅｒｖｅｒＴＭ、Ｍａｃ ＯＳ ＸＴＭ、ＵｎｉｘＴＭ, Ｌｉｎｕｘ（登録商標）ＴＭ、ＦｒｅｅＢＳＤＴＭなどに基づいて操作できる。
【０１６２】
当業者は、明細書に対する理解、及び明細書に記載された発明に対する実施を介して、本発明の他の実施形態を容易に取得することができる。本発明は、本発明に対する任意の変形、用途、又は適応的な変化を含み、このような変形、用途、又は適応的な変化は、本発明の一般的な原理に従い、本発明では開示していない本技術分野の公知知識、又は通常の技術手段を含む。明細書及び実施例は、単に例示的なものであって、本発明の本当の範囲と主旨は、以下の特許請求の範囲によって示される。
【０１６３】
本発明は、上記で記述され、図面で図示した特定の構成に限定されず、その範囲を離脱しない状況で、様々な修正や変更を実施してもよい。本発明の範囲は、添付される特許請求の範囲のみにより限定される。
【図１】
2018535454.tif 000003
【図２】
2018535454.tif 000004
【図３】
2018535454.tif 000005
【図４】
2018535454.tif 000006
【図５】
2018535454.tif 000007
【図６】
2018535454.tif 000008
【図７】
2018535454.tif 000009
【図８】
2018535454.tif 000010
【図９】
2018535454.tif 000011
【図１０】
2018535454.tif 000012
【図１１】
2018535454.tif 000013
【図１２】
2018535454.tif 000014
【図１３】
2018535454.tif 000015
【図１４】
2018535454.tif 000016
【図１５】
2018535454.tif 000017
【手続補正書】
【提出日】平成29年1月18日(2017.1.18)
【手続補正１】
【補正対象書類名】特許請求の範囲
【補正対象項目名】全文
【補正方法】変更
【補正の内容】
【特許請求の範囲】
【請求項１】
外部部材によってトリガーされたスタートイベントを受信した時、前記外部部材が所属するインテリジェントデバイスの回転情報を獲得するステップと、
前記スタートイベントと前記回転情報に基づいて、現在再生しているマルチメディアの再生状態を制御するするステップと、
を含むことを特徴とする再生を制御する方法。
【請求項２】
前記外部部材が前記インテリジェントデバイスのケース外側の実体キー、又は前記インテリジェントデバイスがバインディングされたリモートコントロールデバイスの実体キーである場合、前記実体キーを操作して前記スタートイベントをトリガーする
ことを特徴とする請求項１に記載の方法。
【請求項３】
前記外部部材が前記インテリジェントデバイスのケース外側の仮想キー、又は前記インテリジェントデバイスがバインディングされたリモートコントロールデバイスの仮想キーである場合、前記仮想キーをタッチして前記スタートイベントをトリガーする
ことを特徴とする請求項１に記載の方法。
【請求項４】
前記外部部材が所属するインテリジェントデバイスの回転情報を獲得するステップは、
前記インテリジェントデバイス内部のセンサーによって、前記回転情報を獲得するステップを含む
ことを特徴とする請求項１に記載の方法。
【請求項５】
前記外部部材が所属するインテリジェントデバイスの回転情報を獲得するステップは、
前記インテリジェントデバイスとバインディング関係を有するリモートコントロールデバイスによって、前記回転情報を獲得するステップを含む
ことを特徴とする請求項１に記載の方法。
【請求項６】
前記回転情報が方向情報を含む場合、現在再生しているマルチメディア情報の再生方向を制御する
ことを特徴とする請求項１、４又は５に記載の方法。
【請求項７】
前記回転情報が回転角度情報を含む場合、現在再生しているマルチメディア情報の再生位置を制御する
ことを特徴とする請求項１、４又は５に記載の方法。
【請求項８】
前記回転情報が回転速度情報を含む場合、現在再生しているマルチメディア情報の再生速度を制御する
ことを特徴とする請求項１、４又は５に記載の方法。
【請求項９】
現在再生しているビデオの高速再生を制御する過程中、高速再生の進みに基づいて前記ビデオのプレビュー画像を表示するステップを含む
ことを特徴とする請求項１に記載の方法。
【請求項１０】
外部部材によってトリガーされたスタートイベントを受信した時、前記外部部材が所属するインテリジェントデバイスの回転情報を獲得するための獲得モジュールと、
前記スタートイベントと前記回転情報に基づいて、現在再生しているマルチメディアの再生状態を制御するための制御モジュールと、
を含むことを特徴とする再生を制御する装置。
【請求項１１】
前記外部部材が前記インテリジェントデバイスのケース外側の実体キー、又は前記インテリジェントデバイスがバインディングされたリモートコントロールデバイスの実体キーである場合、前記実体キーを操作して前記スタートイベントをトリガーするための第一トリガーモジュールを含む
ことを特徴とする請求項１０に記載の装置。
【請求項１２】
前記外部部材が前記インテリジェントデバイスのケース外側の仮想キー、又は前記インテリジェントデバイスがバインディングされたリモートコントロールデバイスの仮想キーである場合、前記仮想キーをタッチして前記スタートイベントをトリガーするための第二トリガーモジュールを含む
ことを特徴とする請求項１０に記載の装置。
【請求項１３】
前記獲得モジュールは、
前記インテリジェントデバイス内部のセンサーによって、前記回転情報を獲得するための第一獲得サブモジュールを含む
ことを特徴とする請求項１０に記載の装置。
【請求項１４】
前記獲得モジュールは、
前記インテリジェントデバイスとバインディング関係を有するリモートコントロールデバイスによって、前記回転情報を獲得するための第二獲得サブモジュールを含む
ことを特徴とする請求項１０に記載の装置。
【請求項１５】
前記回転情報が方向情報を含む場合、現在再生しているマルチメディア情報の再生方向を制御するための方向モジュールを含む
ことを特徴とする請求項１０、１３又は１４に記載の装置。
【請求項１６】
前記回転情報が回転角度情報を含む場合、現在再生しているマルチメディア情報の再生位置を制御するためのジャンプモジュールを含む
ことを特徴とする請求項１０、１３又は１４に記載の装置。
【請求項１７】
前記回転情報が回転速度情報を含む場合、現在再生しているマルチメディア情報の再生速度を制御するための速度モジュールを含む
ことを特徴とする請求項１０、１３又は１４に記載の装置。
【請求項１８】
現在再生しているビデオの高速再生を制御する過程中、高速再生の進みに基づいて前記ビデオのプレビュー画像を表示するためのプレビューモジュールを含む
ことを特徴とする請求項１０に記載の装置。
【請求項１９】
プロセッサと、
前記プロセッサが実行可能な命令を記憶するためのメモリと、を含み、
ここで、前記プロセッサは、
外部部材によってトリガーされたスタートイベントを受信した時、前記外部部材が所属するインテリジェントデバイスの回転情報を獲得し、
前記スタートイベントと前記回転情報に基づいて、現在再生しているマルチメディアの再生状態を制御するように構成される
ことを特徴とする再生を制御する装置。
【請求項２０】
プロセッサに実行されることにより、請求項１から請求項９のうちいずれか１項に記載の再生を制御する方法を実現することを特徴とするプログラム。
【請求項２１】
請求項２０に記載のプログラムが記録された記録媒体。
【手続補正２】
【補正対象書類名】明細書
【補正対象項目名】全文
【補正方法】変更
【補正の内容】
【発明の詳細な説明】
【技術分野】
【０００１】
本発明は、通信及びコンピュータ処理分野に関し、特に、再生を制御する方法、装置、プログラム、及び記録媒体に関する。
【背景技術】
【０００２】
電子技術の発展に伴って、携帯電話、テレビ、コンピュータ等が多く出てきている。更に、多くのデバイスはビデオ再生機能を備えている。ビデオ再生の進み（プログレス）に対する制御には、多くの実現方式があり、例えば、リモコン上のハードウェアプッシュキーで実現する等がある。
【発明の概要】
【発明が解決しようとする課題】
【０００３】
関連する技術に存在する問題を克服するために、本発明は再生を制御する方法、装置、プログラム、及び記録媒体を提供する。
【課題を解決するための手段】
【０００４】
本発明の実施例の第１技術案によれば、再生を制御する方法を提供し、当該方法は、
外部部材によってトリガーされたスタートイベントを受信した時、前記外部部材が所属するインテリジェントデバイスの回転情報を獲得するステップと、
前記スタートイベントと前記回転情報に基づいて、現在再生しているマルチメディアの再生状態を制御するステップと、
を含む。
【０００５】
本発明の実施例で提供された技術案は下記の有益な効果を有する。本実施例は回転情報によってマルチメディアの再生を実現する。更に、外部部材のスタートイベントと回転情報の二重トリガーによって、ビデオを高速再生し始めるように、より正確に制御することができ、誤ったトリガーが減少する。
【０００６】
一つの実施例において、前記外部部材が前記インテリジェントデバイスのケース外側の実体キー、又は前記インテリジェントデバイスがバインディングされたリモートコントロールデバイスの実体キーである場合、前記実体キーを操作して前記スタートイベントをトリガーする。
【０００７】
本発明の実施例で提供された技術案は下記の有益な効果を有する。本実施例は複数の種類のデバイスの実体キーによってスタートイベントをトリガーして、複数の種類の異なる応用場面に適用される。
【０００８】
一つの実施例において、前記外部部材が前記インテリジェントデバイスのケース外側の仮想キー、又は前記インテリジェントデバイスがバインディングされたリモートコントロールデバイスの仮想キーである場合、前記仮想キーをタッチして前記スタートイベントをトリガーする。
【０００９】
本発明の実施例で提供された技術案は下記の有益な効果を有する。本実施例は複数の種類のデバイスの仮想キーによってスタートイベントをトリガーして、複数の種類の異なる応用場面に適用される。
【００１０】
一つの実施例において、前記外部部材が所属するインテリジェントデバイスの回転情報を獲得するステップは、
前記インテリジェントデバイス内部のセンサーによって、前記回転情報を獲得するステップを含む。
【００１１】
本発明の実施例で提供された技術案は下記の有益な効果を有する。本実施例は回転情報を獲得する獲得方式を提供し、自身のセンサーによって獲得することができて、便利に柔軟に制御して、複数の種類の応用場面に適用される。
【００１２】
一つの実施例において、前記外部部材が所属するインテリジェントデバイスの回転情報を獲得するステップは、
前記インテリジェントデバイスとバインディング関係を有するリモートコントロールデバイスによって、前記回転情報を獲得するステップを含む。
【００１３】
本発明の実施例で提供された技術案は下記の有益な効果を有する。本実施例は回転情報を獲得する獲得方式を提供し、外部のリモートコントロールデバイスから獲得することができて、便利に且つ柔軟に制御して、複数の種類の応用場面に適用される。
【００１４】
一つの実施例において、前記回転情報が方向情報を含む場合、現在再生しているマルチメディア情報の再生方向を制御する。
【００１５】
本発明の実施例で提供された技術案は下記の有益な効果を有する。本実施例はビデオ再生方向を制御することを実現する案を提供する。回転情報に基づいて再生方向を制御し、獲得する情報を追加しないので、制御する過程が簡単である。
【００１６】
一つの実施例において、前記回転情報が回転角度情報を含む場合、現在再生しているマルチメディア情報の再生位置を制御する。
【００１７】
本発明の実施例で提供された技術案は下記の有益な効果を有する。本実施例はビデオ再生進み位置を制御することを実現する案を提供する。回転情報に基づいて再生進み位置を制御し、獲得する情報を追加しないので、制御する過程が簡単である。
【００１８】
一つの実施例において、前記回転情報が回転速度情報を含む場合、現在再生しているマルチメディア情報の再生速度を制御する。
【００１９】
本発明の実施例で提供された技術案は下記の有益な効果を有する。本実施例はビデオ再生速度を制御することを実現する案を提供する。回転情報に基づいて再生速度を制御し、獲得する情報を追加しないので、制御する過程が簡単である。
【００２０】
一つの実施例において、前記方法は、
現在再生しているビデオ高速再生を制御する過程中、高速再生の進みに基づいて前記ビデオのプレビュー画像を表示するステップを含む。
【００２１】
本発明の実施例で提供された技術案は下記の有益な効果を有する。本実施例は高速再生する過程中、画像をプレビューする案を提供して、使用者が高速再生する過程中に画像の内容を容易に了解できて、高速再生をより正確に制御できる。
【００２２】
本発明の実施例の第２技術案によれば、再生を制御する装置を提供し、当該装置は、
外部部材によってトリガーされたスタートイベントを受信した時、前記外部部材が所属するインテリジェントデバイスの回転情報を獲得するための獲得モジュールと、
前記スタートイベントと前記回転情報に基づいて、現在再生しているマルチメディアの再生状態を制御するための制御モジュールと、
を含む。
【００２３】
一つの実施例において、前記装置は、
前記外部部材が前記インテリジェントデバイスのケース外側の実体キー、又は前記インテリジェントデバイスがバインディングされたリモートコントロールデバイスの実体キーである場合、前記実体キーを操作して前記スタートイベントをトリガーするための第一トリガーモジュールを含む。
【００２４】
一つの実施例において、前記装置は、
前記外部部材が前記インテリジェントデバイスのケース外側の仮想キー、又は前記インテリジェントデバイスがバインディングされたリモートコントロールデバイスの仮想キーである場合、前記仮想キーをタッチして前記スタートイベントをトリガーするための第二トリガーモジュールを含む。
【００２５】
一つの実施例において、前記獲得モジュールは、
前記インテリジェントデバイス内部のセンサーによって、前記回転情報を獲得するための第一獲得サブモジュールを含む。
【００２６】
一つの実施例において、前記獲得モジュールは、
前記インテリジェントデバイスとバインディング関係を有するリモートコントロールデバイスによって、前記回転情報を獲得するための第二獲得サブモジュールを含む。
【００２７】
一つの実施例において、前記装置は、
前記回転情報が方向情報を含む場合、現在再生しているマルチメディア情報の再生方向を制御するための方向モジュールを含む。
【００２８】
一つの実施例において、前記装置は、
前記回転情報が回転角度情報を含む場合、現在再生しているマルチメディア情報の再生位置を制御するためのジャンプモジュールを含む。
【００２９】
一つの実施例において、前記装置は、
前記回転情報が回転速度情報を含む場合、現在再生しているマルチメディア情報の再生速度を制御するための速度モジュールを含む。
【００３０】
一つの実施例において、前記装置は、
現在再生しているビデオ高速再生を制御する過程中、高速再生の進みに基づいて前記ビデオのプレビュー画像を表示するためのプレビューモジュールを含む。
【００３１】
本発明の実施例の第３技術案によれば、再生を制御する装置を提供し、当該装置は、
プロセッサと、
前記プロセッサが実行可能な命令を記憶するためのメモリと、を含み、
ここで、前記プロセッサは、
外部部材によってトリガーされたスタートイベントを受信した時、前記外部部材が所属するインテリジェントデバイスの回転情報を獲得し、
前記スタートイベントと前記回転情報に基づいて、現在再生しているマルチメディアの再生状態を制御するように構成される。
【００３２】
本発明の実施例の第４技術案によれば、再生を制御する記録媒体を提供し、
前記記録媒体中の命令が移動端末のプロセッサによって実行される時、移動端末が再生を制御する方法を実行する。前記方法は、
外部部材によってトリガーされたスタートイベントを受信した時、前記外部部材が所属するインテリジェントデバイスの回転情報を獲得するステップと、
前記スタートイベントと前記回転情報に基づいて、現在再生しているマルチメディアの再生状態を制御するステップと
を含む。
本発明の実施例の第５技術案によれば、プログラムを提供する。当該プログラムは、プロセッサに実行されることにより、上記再生を制御する方法を実現する。
本発明の実施例の第６技術案によれば、記録媒体を提供する。当該記録媒体には、上記プログラムが記録されている。
【００３３】
なお、前記一般的な記載及び後述の詳細な記載は、単なる例示的で解釈的な記載であり、本発明を限定しない。
【図面の簡単な説明】
【００３４】
ここの図面は、明細書に組み入れて本明細書の一部を構成し、本発明に該当する実施例を例示するとともに、明細書とともに本発明の原理を解釈するために用いられる。
【図１】一つの例示的な実施例に示された再生を制御する方法のフローチャートである。
【図２】一例示的な実施例によって示された再生を制御する方法のフローチャートである。
【図３】一例示的な実施例によって示された再生を制御する方法のフローチャートである。
【図４】一例示的な実施例示によって示された再生を制御する方法のフローチャートである。
【図５】一例示的な実施例によって示された再生を制御する装置のブロック図である。
【図６】一例示的な実施例によって示された再生を制御する装置のブロック図である。
【図７】一例示的な実施例によって示された再生を制御する装置のブロック図である。
【図８】一例示的な実施例によって示された獲得モジュールのブロック図である。
【図９】一例示的な実施例によって示された獲得モジュールのブロック図である。
【図１０】一例示的な実施例によって示された再生を制御する装置のブロック図である。
【図１１】一例示的な実施例によって示された再生を制御する装置のブロック図である。
【図１２】一例示的な実施例によって示された再生を制御する装置のブロック図である。
【図１３】一例示的な実施例によって示された再生を制御する装置のブロック図である。
【図１４】一例示的な実施例によって示された装置のブロック図である。
【図１５】一例示的な実施例によって示された装置のブロック図である。
【発明を実施するための形態】
【００３５】
以下、例示的な実施例を詳しく説明し、その例示を図面に示す。以下の記載が図面に関わる場合、特に別の説明がない限り、異なる図面における同一符号は、同じ又は類似する要素を示す。以下の例示的な実施例に記載の実施例は、本発明と一致する全ての実施例を代表するものではない。即ち、それらは、特許請求の範囲に記載の本発明のある側面に一致する装置及び方法の例に過ぎない。
【００３６】
関連する技術において、携帯電話、パソコン、テレビ等のデバイスはビデオを再生する機能を備えている。使用者がビデオを見ている過程中、興味を持っていないビデオ内容については早送り再生を使用することができ、特に興味を持っている内容又はよく見られなかったビデオ内容については、早戻し再生を使用することができる。早送り又は早戻し再生に対しての制御は、リモコンに設けられた対応するプッシュキーで実現される。タッチスクリーンを備えるデバイスにおいては、インターフェースでのプログレスバーのスライダーをドラッグ又は引くことによって実現される。しかし、早送り又は早戻しのプッシュキーを備えていないリモートコントローラの場合、又はタッチスクリーンの操作が不便な場合、上記の方式が適用されないことが多い。
【００３７】
上記の問題を解決するために、本実施例では、デバイスの回転によってデバイスの回転情報を獲得し、これによって、ビデオの高速再生を制御することができる。これによって、多くのプッシュキーを制御する必要がなく、タッチスクリーンを操作する必要もないので、使用者がビデオの高速再生を制御することが便利になる。
【００３８】
図１は一例示的な実施例に示された再生を制御する方法のフローチャートであり、図１に示されたように、当該方法は移動端末等のビデオ再生機能を備えるデバイスによって実現され、下記のようなステップを含む：
ステップ１０１において、外部部材によってトリガーされたスタートイベントを受信した時、前記外部部材が所属するインテリジェントデバイスの回転情報を獲得する。
【００３９】
ステップ１０２において、前記スタートイベントと前記回転情報に基づいて、現在再生しているマルチメディアの再生状態を制御する。
【００４０】
本実施例において、外部部材はプッシュキー、レバー等の部材である。スタートイベントはプッシュキーをトリガーするプッシュキーイベントであるか、又はレバーをリモートコントロールするシェイクイベントである。マルチメディアはビデオとオーディオ等を含む。再生状態は再生速度、再生角度、再生方向等を含む。
【００４１】
本実施例では、回転情報の制御によってマルチメディアの再生を実現できる。更に、外部部材のスタートイベントと回転情報を二重トリガーすることによって、ビデオを高速再生し始めるように、より正確に制御することができ、誤ったトリガーを減少することができる。
【００４２】
プッシュキーによってビデオ高速再生をトリガーする例として、本実施例では、
プッシュキーによってトリガーされたプッシュキーイベントを受信した時、回転情報を獲得する。
【００４３】
前記プッシュキーイベントと前記回転情報に基づいて、現在再生しているビデオを高速再生し始めるように制御する。
【００４４】
本実施例では、プッシュキートによってトリガーされたプッシュキーイベントを受信した時、回転情報を獲得し始め、プッシュキーイベントと回転情報のその２つの条件を満足すると、ビデオを高速再生し始めるように制御する。単一条件で制御する案に比べて、ビデオをより正確に制御することができ、且つ他のものによるビデオに対する制御処理と区別することができる。
【００４５】
プッシュキートによってトリガーされたプッシュキーイベントを受信する前に、回転情報を獲得し、この場合、回転情報に基づいてビデオを他の処理を行うように制御することができ、プッシュキートによってトリガーされたプッシュキーイベントを受信したら、ビデオの高速再生に対しての制御に切り替える。
【００４６】
ここで、ステップ１０１では、回転情報を継続的に獲得することができる。継続的に獲得した回転情報によってビデオ高速再生を制御する。回転が発生しなくて、回転情報を獲得することができなく、又は獲得した回転情報が０である場合、ビデオ高速再生を停止する。
【００４７】
一つの実施例において、前記プッシュキーイベントは、一つ又は複数のプッシュキーを長時間押すイベント、又は一つ又は複数のプッシュキーをダブルクリックするイベント、又は複数のプッシュキーをクリックするイベントを含む。
【００４８】
本実施例において、プッシュキーイベントは複数の種類があり、複数の種類の異なる応用場面に適用される。
【００４９】
ここで、プッシュキーイベントが一つ又は複数のプッシュキーを長時間押すイベントの場合、長時間押し始める時、ビデオ高速再生の制御を始める。長時間押すことが終わる時、ビデオ高速再生を停止する。
【００５０】
プッシュキーイベントが一つ又は複数のプッシュキーをダブルクリックするイベント、又は複数のプッシュキーをクリックするイベントの時、初めてプッシュキーイベントが発生して、ビデオ高速再生の制御を始める。もう一度プッシュキーイベントが発生する時、即ち、もう一度一つ又は複数の同じプッシュキーをダブルクリックするか、又はもう一度複数の同じプッシュキーをクリックする時、ビデオ高速再生を停止する。
【００５１】
ビデオ高速再生を停止する時、回転情報の獲得を停止する。又は、回転情報を継続的に獲得する時、回転情報を獲得する単一イベントとして処理される。
【００５２】
一つの実施例において、前記外部部材が前記インテリジェントデバイスのケース外側の実体キー、又は前記インテリジェントデバイスがバインディングされたリモートコントロールデバイスの実体キーである場合、前記実体キーを操作して前記スタートイベントをトリガーする。
【００５３】
本実施例では、複数の種類のデバイスの実体キーによってスタートイベントをトリガーすることが提供され、これは複数の種類の異なる応用場面に適用される。
【００５４】
一つの実施例において、前記外部部材が前記インテリジェントデバイスのケース外側の仮想キー、又は前記インテリジェントデバイスがバインディングされたリモートコントロールデバイスの仮想キーである場合、前記仮想キーをタッチして前記スタートイベントをトリガーする。
【００５５】
本実施例では、複数の種類のデバイスの仮想キーによってスタートイベントをトリガーすることが提供され、これは複数の異なる応用場面に適用される。
【００５６】
本実施例の実行主体は移動端末、パソコン、テレビ等である。プッシュキーは仮想現実ヘッドマウントディスプレイデバイス（又はＶＲメガネと称する）、移動端末、リモートコントロールハンドル等から提供される。即ち、プッシュキーは自身が携帯するデバイスのプッシュキーであってもよいし、外部接続するデバイスのプッシュキーであってもいい。
【００５７】
例えば、実行主体が移動端末である時、移動端末自身が持っている仮想プッシュキー又はハードウェアプッシュキーをトリガーすることが可能であり、これは、移動端末がプッシュキーイベントを受信したことに相当する。又は、移動端末がＶＲメガネと接続して（有線接続又は無線接続を含む）、ＶＲメガネでのプッシュキーをクリックするか長時間押すと、ＶＲメガネはプッシュキーをトリガーすることにより発生されたプッシュキーイベントを移動端末に送信し、移動端末はプッシュキーイベントを受信する。移動端末は自身の回転により回転情報を獲得することができ、またプッシュキーイベントと回転情報に基づいてビデオの高速再生を制御することができる。
【００５８】
例えば、ＶＲメガネは自身のプッシュキーによってトリガーされたプッシュキーイベントを獲得するか、又はリモートコントロールハンドルから送信されたプッシュキーイベントを獲得することができる。ＶＲメガネはプッシュキーイベントを移動端末に送信し、移動端末は受信したプッシュキーイベントによってビデオの高速再生を制御する。
【００５９】
一つの実施例において、ステップ１０１はステップＡ１を含む。
【００６０】
ステップＡ１において、前記インテリジェントデバイス内部のセンサーによって、前記回転情報を獲得する。
【００６１】
本実施例では、回転情報を獲得する獲得方式を提供し、自身のセンサーによって獲得して、便利に且つ柔軟に制御して、複数の種類の応用場面に適用できる。
【００６２】
一つの実施例において、ステップ１０１はステップＡ２を含む。
【００６３】
ステップＡ２において、前記インテリジェントデバイスとバインディング関係を有するリモートコントロールデバイスによって、前記回転情報を獲得する。
【００６４】
本実施例では、回転情報を獲得する獲得方式を提供し、外部のリモートコントロールデバイスから獲得することができて、便利に且つ柔軟に制御して、複数の種類の応用場面に適用できる。
【００６５】
本実施例では、自身内部のセンサーによって回転情報を獲得することができ、また外部のデバイスによって回転情報を獲得することができる。例えば、バインディングした仮想現実ヘッドマウントディスプレイデバイスによって回転情報を獲得することができる。又は、バインディングした移動端末によって回転情報を獲得することができる。又は、バインディングしたリモートコントロールハンドルによって回転情報を獲得することができる。
【００６６】
本実施例の実行主体には移動端末、パソコン、テレビ等がある。回転情報を直接獲得するデバイスは、仮想現実ヘッドマウントディスプレイデバイス（又はＶＲメガネと称する）、移動端末、リモートコントロールハンドル等である。即ち、回転情報を獲得するデバイスは外部接続したデバイスであってもよい。更に、プッシュキーイベントを発生するデバイスと結合する。本実施例では、プッシュキーイベントを発生するデバイスと、回転情報を検出したデバイスと、ビデオ再生を制御するデバイスは、同一のデバイスであってもよいし、二つ又は三つのデバイスであってもよい。
【００６７】
例えば、移動端末自身が持っている仮想プッシュキー又はハードウェアプッシュキーをトリガーすることができて、これは移動端末がプッシュキーイベントを受信したことに相当する。移動端末は、自身の回転によって回転情報を獲得することができ、同時に移動端末は、ビデオ再生するようにする。従って、移動端末は、自身が発生したプッシュキーイベントと獲得した回転情報に基づいて、ビデオの高速再生を制御することができる。
【００６８】
例えば、ＶＲメガネは、自身が持っているプッシュキーによってプッシュキーイベントを獲得し、及びＶＲメガネがジャイロスコープ等のインダクタを含んで、自身の回転によって回転情報を獲得することができる。移動端末はビデオ再生をするようにする。ＶＲメガネはプッシュキーイベントと回転情報を移動端末に送信する。移動端末は、受信したプッシュキーイベントと回転情報に基づいてビデオ高速再生を制御する。
【００６９】
本実施例において、プッシュキーイベントと回転情報はビデオを高速再生し始めるようにトリガーする。高速再生することは、必ずしも瞬間的な制御ではなく、継続に高速再生することでもよい。継続的に高速再生する過程中、継続的に獲得した回転情報に基づいて制御することができる。
【００７０】
一つの実施例において、前記回転情報が方向情報を含む場合、現在再生しているマルチメディア情報の再生方向を制御する。
【００７１】
例えば、前記回転方向情報に基づいて、現在再生しているビデオ高速再生の方向を制御する。
【００７２】
本実施例において、高速再生の方向は早送りと早戻しを含む。
【００７３】
回転方向情報は左向き回転又は右向き回転を含む。例えば、左向き回転によってビデオ早戻しを制御し、右向き回転によってビデオ早送りを制御する。
【００７４】
又は、回転方向情報は上向き回転又は下向き回転を含む。例えば、上向き回転によってビデオ早戻しを制御し、下向き回転によってビデオ早送りを制御する。
【００７５】
回転方向情報と高速再生の方向の対応関係は予め固定して設定することができるし、使用者が自分の習慣によって柔軟に設定することもできる。
【００７６】
一つの実施例において、前記回転情報が回転角度情報を含む場合、現在再生しているマルチメディア情報の再生位置を制御する。
【００７７】
例えば、前記回転角度情報に基づいて、現在再生しているビデオ高速再生を対応する進み位置まで制御する。
【００７８】
回転角度情報と進み位置の対応関係を予め設定してもよい。例えば、回転角度情報が５度ごとに変化することに従って、進み位置はビデオの全長の５%変化する。高速再生し始めた後、０.５秒ごとに回転情報を一回獲得して、回転角度情報を確定する。例えば、０.５秒ごとに回転角度情報が５度変化する時、０.５秒ごとに再生進み位置を５%変化するように制御する。
【００７９】
又は、一度に高速回転することもできる。回転が停止した時に回転角度情報を獲得して、当該回転角度情報に基づいてビデオ再生を対応する進み位置に直接ジャンプするように制御する。
【００８０】
本実施例において、回転の初期位置はプッシュキーイベントを受信した時の位置によって確定される。
【００８１】
一つの実施例において、前記回転情報が回転速度情報を含む場合、現在再生しているマルチメディア情報の再生速度を制御する。
【００８２】
例えば、前記回転速度情報に基づいて、現在再生しているビデオ高速再生の速度を制御する。
【００８３】
回転速度情報と高速再生の速度の対応関係を予め設定することができる。回転速度が速いほど、高速再生の速度も速い。例えば、高速再生し始めた後、０.５秒ごとに回転情報を一回獲得して、回転速度情報を確定し、例えば、回転速度情報が一秒ごとに５度である場合、ビデオを一秒ごとに５%の速度で高速再生させるように制御する。ここで、５%はビデオ全長の５%を指す。回転が停止する時、ビデオ高速再生を停止する。
【００８４】
本実施例では、回転の初期位置はプッシュキーイベントを受信した時の位置によって確定する。
【００８５】
一つの実施例において、前記方法は、
現在再生しているビデオ高速再生を制御する過程中、高速再生の進みに基づいて前記ビデオのプレビュー画像を表示することを含む。
【００８６】
高速再生は継続的な過程であり、使用者が高速再生過程中、ビデオの大体の内容を了解して、ビデオ高速再生の終了位置をより正確に制御するようにするために、本実施例では、プレビュー画像を提供する。プレビュー画像は、高速再生に対応するビデオフラグメントから抽出したビデオ画像であり、原ビデオ画像の縮小図であるか、又は原ビデオ画像の底層画像である。高速再生の過程中、使用者のビデオ画像の質の要求は高くなく、且つ早く経過するので、縮小図又は底層画像を採用したら画像を解凍する過程を縮減して、プレビュー画像をより早く獲得する。
【００８７】
例えば、プレビュー画像を獲得するには多くの実現方式があり、例えば、５フレームごとに一フレームのプレビュー画像を獲得する。又は０.５秒ごとに一フレームの現在再生位置のプレビュー画像を獲得し、隣接する２つのフレームのプレビュー画像の間隔距離は回転速度と関係がある。
【００８８】
以下、複数の実施例によって実現過程を詳細に説明する。
【００８９】
図２は一例示的な実施例によって示された再生を制御する方法のフローチャートであり、図２に示したように、当該方法は移動端末等のビデオ再生機能を備えるデバイスによって実現され、以下のステップを含む：
ステップ２０１において、移動端末は、自身のプッシュキーによりトリガーされたプッシュキーイベントを受信する。
【００９０】
ステップ２０２において、移動端末は、自身の回転によって回転情報を獲得する。回転情報は回転方向情報と回転角度情報を含む。
【００９１】
ステップ２０３において、移動端末は、前記プッシュキーイベントと回転情報に基づいて、現在再生しているビデオが高速再生し始めるように制御する。
【００９２】
ステップ２０４において、移動端末は、前記回転方向情報に基づいて、現在再生しているビデオ高速再生の方向を制御する。
【００９３】
ステップ２０５において、移動端末は、前記回転角度情報に基づいて、現在再生しているビデオ高速再生を対応する進み位置まで制御する。
【００９４】
初期制御の時、ステップ２０３、ステップ２０４とステップ２０５は同期に行うことができる。
【００９５】
継続的に高速再生を行うように、ステップ２０２とステップ２０５を繰り返して実行することもできる。回転情報を獲得することを停止するか、又は回転情報が０であるか、又はプッシュキーイベントのトリガーが停止する時、高速再生が終了する。
【００９６】
図３は一例示的な実施例によって示した再生を制御する方法のフローチャートであり、図３に示したように、当該方法は移動端末とＶＲメガネによって実現され、以下のステップを含む：
ステップ３０１において、ＶＲメガネは、自身のプッシュキーによってトリガーされたプッシュキーイベントを受信する。
【００９７】
ステップ３０２において、ＶＲメガネは、自身の回転に基づいて回転情報を獲得する。回転情報は回転方向情報と回転速度情報を含む。
【００９８】
ステップ３０３において、移動端末は、ＶＲメガネから送信されたプッシュキーイベントと回転情報に基づいて、現在再生しているビデオを高速再生し始めるように制御する。
【００９９】
ステップ３０４において、移動端末は、前記回転方向情報に基づいて、現在再生しているビデオ高速再生の方向を制御する。
【０１００】
ステップ３０５において、移動端末は、前記回転速度情報に基づいて、現在再生しているビデオ高速再生の速度を制御する。
【０１０１】
継続的に高速再生を行うように、ステップ３０２とステップ３０５を繰り返して実行することもできる。即ち、ＶＲメガネは継続的に回転情報を獲得して、継続的に移動端末に送信する。移動端末は、受信した回転情報に基づいて継続的に高速再生を制御する。
【０１０２】
プッシュキーイベントのトリガーによって、回転方向は左右変化することができ、必ずしも一つ方向を向けることではない。これから、高速再生も早送りと早戻しの間で、対応する変換を行う。
【０１０３】
図４は一例示的な実施例示によって示された再生を制御する方法のフローチャートであり、図４に示したように、当該方法は移動端末、リモートコントロールハンドル及びＶＲメガネによって実現され、以下のステップを含む：
ステップ４０１において、リモートコントロールハンドルは、自身のプッシュキーによってトリガーされたプッシュキーイベントを受信して、移動端末に送信する。
【０１０４】
ステップ４０２において、ＶＲメガネは、自身の回転によって回転情報を獲得して、移動端末に送信する。回転情報は回転方向情報と回転速度情報を含む。
【０１０５】
ステップ４０３において、移動端末は、プッシュキーイベントと回転情報に基づいて、現在再生しているビデオを高速再生し始めるように制御する。
【０１０６】
ステップ４０４において、移動端末は、前記回転方向情報に基づいて、現在再生しているビデオ高速再生の方向を制御する。
【０１０７】
ステップ４０５において、移動端末は、前記回転速度情報に基づいて、現在再生しているビデオ高速再生の速度を制御する。
【０１０８】
ステップ４０６において、移動端末が現在再生しているビデオ高速再生を制御する過程中、高速再生の進みに基づいて前記ビデオのプレビュー画像を表示する。
【０１０９】
以上の説明によって再生を制御する実現する過程を説明し、当該過程は移動端末等によって実現され、以下はデバイスの内部構成と機能について説明する。
【０１１０】
図５は一例示的な実施例によって示された再生を制御する装置の図面である。図５を参照すると、当該装置は、獲得モジュール５０１と制御モジュール５０２を含む。
【０１１１】
獲得モジュール５０１は、外部部材によってトリガーしたスタートイベントを受信した時、前記外部部材が所属するインテリジェントデバイスの回転情報を獲得する。例えば、プッシュキーによってトリガーされたプッシュキーイベントを受信した時、回転情報を獲得する。
【０１１２】
制御モジュール５０２は、前記スタートイベントと前記回転情報に基づいて、現在再生しているマルチメディアの再生状態を制御する。例えば、前記プッシュキーイベントと前記回転情報に基づいて、現在再生しているビデオを高速再生し始めるように制御する。
【０１１３】
一つの実施例において、前記プッシュキーイベントは、一つ又は複数のプッシュキーを長時間押すイベント、又は一つ又は複数のプッシュキーをダブルクリックするイベント、又は複数のプッシュキーをクリックするイベントを含む。
【０１１４】
一つの実施例において、前記プッシュキーは、バインディングした仮想現実ヘッドマウントディスプレイデバイスのハードウェアプッシュキー、バインディングした移動端末での仮想プッシュキー又はハードウェアプッシュキー、又はバインディングしたリモートコントロールハンドルでのハードウェアプッシュキーを含む。
【０１１５】
一つの実施例において、図６に示したように、前記装置は、
前記外部部材が前記インテリジェントデバイスのケース外側の実体キー、又は前記インテリジェントデバイスがバインディングされたリモートコントロールデバイスの実体キーである場合、前記実体キーを操作して前記スタートイベントをトリガーするための第一トリガーモジュール５０３を含む。
【０１１６】
一つの実施例において、図７に示したように、前記装置は、
前記外部部材が前記インテリジェントデバイスのケース外側の仮想キー、又は前記インテリジェントデバイスがバインディングされたリモートコントロールデバイスの仮想キーである場合、前記仮想キーをタッチして前記スタートイベントをトリガーするための第二トリガーモジュール５０４を含む。
【０１１７】
一つの実施例において、図８に示したように、前記獲得モジュール５０１は、
前記インテリジェントデバイス内部のセンサーによって、前記回転情報を獲得するための第一獲得サブモジュール６０１を含む。
【０１１８】
一つの実施例において、図９に示したように、前記獲得モジュール５０１は、
前記インテリジェントデバイスとバインディング関係を有するリモートコントロールデバイスによって、前記回転情報を獲得するための第二獲得サブモジュール６０２を含む。
【０１１９】
一つの実施例において、獲得モジュール５０１は、バインディングした仮想現実ヘッドマウントディスプレイデバイスによって回転情報を獲得する。又は、バインディングした移動端末によって回転情報を獲得する。又は、バインディングしたリモートコントロールハンドルによって回転情報を獲得する。
【０１２０】
一つの実施例において、前記回転情報は回転方向情報を含む、
図１０に示したように、前記装置は方向モジュール７０１を含む。
【０１２１】
方向モジュール７０１は、前記回転情報が方向情報を含む場合、現在再生しているマルチメディア情報の再生方向を制御する。例えば、前記回転方向情報に基づいて、現在再生しているビデオ高速再生の方向を制御する。
【０１２２】
一つの実施例において、前記回転情報は回転角度情報を含む、
図１１に示したように、前記装置はジャンプモジュール８０１を含む。
【０１２３】
ジャンプモジュール８０１は、前記回転情報が回転角度情報を含む場合、現在再生しているマルチメディア情報の再生位置を制御する。例えば、前記回転角度情報に基づいて、現在再生しているビデオ高速再生を対応する進み位置まで制御する。
【０１２４】
一つの実施例において、前記回転情報は回転速度情報を含む、
図１２に示したように、前記装置は速度モジュール９０１を含む。
【０１２５】
速度モジュール９０１は、前記回転情報が回転速度情報を含む場合、現在再生しているマルチメディア情報の再生速度を制御する。例えば、前記回転速度情報に基づいて、現在再生しているビデオ高速再生の速度を制御する。
【０１２６】
一つの実施例において、図１３に示したように、前記装置はプレビューモジュール１００１を含む。
【０１２７】
プレビューモジュール１００１は、現在再生しているビデオ高速再生を制御する過程中、高速再生の進みに基づいて前記ビデオのプレビュー画像を表示する。
【０１２８】
上記の実施例中の装置について、それぞれのモジュールが操作を実行する具体的な方式は、方法の実施例で詳細に説明したので、ここでは、その部分について詳細に説明しない。
【０１２９】
図１４は他の例示的実施例に係る再生を制御する装置１４００を示すブロック図である。例えば、装置１４００は、携帯電話、コンピュータ、デジタルブロードキャスト端末、メッセージ送受信機、ゲーム機、タブレットデバイス、医療機器、フィットネス機器、ＰＤＡ等であってもよい。
【０１３０】
図１４を参照すると、装置１４００は、プロセスアセンブリ１４０２、メモリ１４０４、電源アセンブリ１４０６、マルチメディアアセンブリ１４０８、オーディオアセンブリ１４１０、入力/出力（Ｉ/Ｏ）インターフェース１４１２、センサーアセンブリ１４１４、及び通信アセンブリ１４１６からなる群から選ばれる少なくとも１つを備えてもよい。
【０１３１】
プロセスアセンブリ１４０２は、一般的には、装置１４００の全体の操作、例えば、表示、電話呼び出し、データ通信、カメラ操作及び記録操作に関連する操作を制御する。プロセスアセンブリ１４０２は、上述した方法におけるステップの一部又は全部を実現できるように、命令を実行する少なくとも１つのプロセッサ１４２０を備えてもよい。また、プロセスアセンブリ１４０２は、他のアセンブリとのインタラクションを便利にさせるように、少なくとも１つのモジュールを備えてもよい。例えば、プロセスアセンブリ１４０２は、マルチメディアアセンブリ１４０８とのインタラクションを便利にさせるように、マルチメディアモジュールを備えてもよい。
【０１３２】
メモリ１４０４は、装置１４００での操作をサポートするように、各種のデータを記憶するように構成される。これらのデータは、例えば、装置１４００で何れのアプリケーション又は方法を操作するための命令、連絡先データ、電話帳データ、メッセージ、画像、ビデオ等を含む。メモリ１４０４は、何れの種類の揮発性又は不揮発性メモリ、例えば、ＳＲＡＭ（Ｓｔａｔｉｃ Ｒａｎｄｏｍ Ａｃｃｅｓｓ Ｍｅｍｏｒｙ）、ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（Ｐｒｏｇｒａｍｍａｂｌｅ ＲＯＭ）、ＲＯＭ（Ｒｅａｄ Ｏｎｌｙ Ｍｅｍｂｅｒ）、磁気メモリ、フラッシュメモリ、磁気ディスク、或いは光ディスクにより、或いはそれらの組み合わせにより実現することができる。
【０１３３】
電源アセンブリ１４０６は、装置１４００の各種アセンブリに電力を供給するためのものであり、電源管理システム、１つ又は複数の電源、及び装置１４００のために電力を生成、管理及び分配することに関連する他のアセンブリを備えてもよい。
【０１３４】
マルチメディアアセンブリ１４０８は、装置１４００とユーザとの間に出力インターフェースを提供するスクリーンを備えてもよい。スクリーンは、例えば、液晶ディスプレイ（ＬＣＤ）やタッチパネル（ＴＰ）を備えてもよい。スクリーンは、タッチパネルを備える場合、ユーザからの入力信号を受信するように、タッチスクリーンになることができる。また、タッチパネルは、タッチや、スライドや、タッチパネル上の手振りを感知するように、少なくとも１つのタッチセンサーを有する。タッチセンサーは、タッチやスライド動作の境界を感知できるだけではなく、タッチやスライド操作と関連する持続時間や圧力も感知できる。一実施例では、マルチメディアアセンブリ１４０８は、フロントカメラ及び/又はバックカメラを有してもよい。装置１４００が、例えば、撮影モードやビデオモードのような操作モードにある時、フロントカメラ及び/又はバックカメラが外部のマルチメディアデータを受信できる。フロントカメラ及びバックカメラのそれぞれは、固定の光学レンズ系であってもよいし、焦点距離及び光学ズーム能力を有するものであってもよい。
【０１３５】
オーディオアセンブリ１４１０は、オーディオ信号を出力及び/又は入力するように構成される。例えば、オーディオアセンブリ１４１０は、マイクロフォン（ＭｉＣ）を有してもよい。装置１４００が、例えば、呼び出しモード、記録モード、又は音声認識モードのような操作モードにあるとき、マイクロフォンは、外部のオーディオ信号を受信するように構成される。受信したオーディオ信号は、メモリ１４０４にさらに記憶されてもよいし、通信アセンブリ１４１６を介して送信されてもよい。一実施例では、オーディオアセンブリ１４１０は、オーディオ信号を出力するためのスピーカをさらに備えてもよい。
【０１３６】
Ｉ/Ｏインターフェース１４１２は、プロセスアセンブリ１４０２と外部のインターフェースモジュールとの間にインターフェースを提供するためのものである。上記外部のインターフェースモジュールは、キーボードや、クリックホイールや、ボタン等であってもよい。これらのボタンは、ホームボタンや、音量ボタンや、スタートボタンや、ロックボタンであってもよいが、それらに限らない。
【０１３７】
センサーアセンブリ１４１４は、装置１４００のために各方面の状態を評価する少なくとも１つのセンサーを備えてもよい。例えば、センサーアセンブリ１４１４は、装置１４００のオン/オフ状態や、アセンブリの相対的な位置を検出することができる。例えば、前記アセンブリは、装置１４００のディスプレイ及びキーパッドである。センサーアセンブリ１４１４は、装置１４００又は装置１４００の１つのアセンブリの位置の変化や、ユーザが装置１４００に接触しているか否かや、装置１４００の方向又は加速/減速や、装置１４００の温度変化を検出することができる。センサーアセンブリ１４１４は、何れの物理的な接触もない場合に付近の物体を検出するように構成される近接センサーを有してもよい。センサーアセンブリ１４１４は、イメージングアプリケーションに用いるための光センサー、例えば、ＣＭＯＳ又はＣＣＤ画像センサーを有してもよい。一実施例では、当該センサーアセンブリ１４１４は、加速度センサー、ジャイロスコープセンサー、磁気センサー、圧力センサー又は温度センサーをさらに備えてもよい。
【０１３８】
通信アセンブリ１４１６は、装置１４００と他のデバイスの間との無線又は有線通信を便利にさせるように構成される。装置１４００は、通信標準に基づく無線ネットワーク、例えば、ＷｉＦｉ、２Ｇ又は３Ｇ、又はそれらの組み合わせにアクセスできる。１つの例示的な実施例では、通信アセンブリ１４１６は、ブロードキャストチャンネルを介して外部のブロードキャスト管理システムからのブロードキャスト信号又はブロードキャストに関する情報を受信する。１つの例示的な実施例では、前記通信アセンブリ１４１６は、近距離通信を促進するために近距離無線通信（ＮＦＣ）モジュールをさらに備えてもよい。例えば、ＮＦＣモジュールは、無線周波数認識装置（ＲＦＩＤ：Ｒａｄｉｏ Ｆｒｅｑｕｅｎｃｙ ＩＤｅｎｔｉｆｉｃａｔｉｏｎ）技術、赤外線データ協会（ＩｒＤＡ：Ｉｎｆｒａｒｅｄ Ｄａｔａ Ａｓｓｏｃｉａｔｉｏｎ）技術、超広帯域無線（ＵＷＢ：Ｕｌｔｒａ Ｗｉｄｅ Ｂａｎｄ）技術、ブルートゥース（登録商標）（ＢＴ：Ｂｌｕｅｔｏｏｔｈ（登録商標））技術及び他の技術によって実現されてもよい。
【０１３９】
例示的な実施例では、装置１４００は、上述した方法を実行するために、１つ又は複数の特定用途向け集積回路（ＡＳＩＣ：Ａｐｐｌｉｃａｔｉｏｎ Ｓｐｅｃｉｆｉｃ Ｉｎｔｅｇｒａｔｅｄ Ｃｉｒｃｕｉｔ）、デジタル信号プロセッサ（ＤＳＰ：Ｄｉｇｉｔａｌ Ｓｉｇｎａｌ Ｐｒｏｃｅｓｓｏｒ）、数字信号処理デバイス（ＤＳＰＤ：Ｄｉｇｉｔａｌ Ｓｉｇｎａｌ Ｐｒｏｃｅｓｓｉｎｇ Ｄｅｖｉｃｅ）、プログラム可能論理デバイス（ＰＬＤ：Ｐｒｏｇｒａｍｍａｂｌｅ Ｌｏｇｉｃ Ｄｅｖｉｃｅ）、書替え可能ゲートアレイ（ＦＰＧＡ：Ｆｉｅｌｄ−Ｐｒｏｇｒａｍｍａｂｌｅ Ｇａｔｅ Ａｒｒａｙ）、コントローラ、マイクロコントローラ、マイクロプロセッサ、又は他の電子機器によって実現されてもよい。
【０１４０】
例示的な実施例では、命令を有する非一時的コンピュータ読み取り可能な記録媒体、例えば、命令を有するメモリ１４０４をさらに提供する。前記命令は、装置１４００のプロセッサ１４２０により実行されて上述した方法を実現する。例えば、前記非一時的コンピュータ読み取り可能な記録媒体は、ＲＯＭ、ＲＡＭ、ＣＤ-ＲＯＭ、磁気テープ、フロッピー（登録商標）ディスク及び光データメモリ等であってもよい。
【０１４１】
再生を制御する装置は、
プロセッサと、
前記プロセッサが実行可能な命令を記憶するためのメモリと、を含み、
ここで、前記プロセッサは、
外部部材によってトリガーされたスタートイベントを受信した時、前記外部部材が所属するインテリジェントデバイスの回転情報を獲得し、
前記スタートイベントと前記回転情報に基づいて、現在再生しているマルチメディアの再生状態を制御するように構成される。
【０１４２】
前記プロセッサは、
前記外部部材が前記インテリジェントデバイスのケース外側の実体キー、又は前記インテリジェントデバイスがバインディングされたリモートコントロールデバイスの実体キーである場合、前記実体キーを操作して前記スタートイベントをトリガーするように構成される。
【０１４３】
前記プロセッサは、
前記外部部材が前記インテリジェントデバイスのケース外側の仮想キー、又は前記インテリジェントデバイスがバインディングされたリモートコントロールデバイスの仮想キーである場合、前記仮想キーをタッチして前記スタートイベントをトリガーするように構成される。
【０１４４】
前記プロセッサは、
前記外部部材が所属するインテリジェントデバイスの回転情報を獲得することが、
前記インテリジェントデバイス内部のセンサーによって、前記回転情報を獲得することを含むように構成される。
【０１４５】
前記プロセッサは、
前記外部部材が所属するインテリジェントデバイスの回転情報を獲得することが、
前記インテリジェントデバイスとバインディング関係を有するリモートコントロールデバイスによって、前記回転情報を獲得することを含むように構成される。
【０１４６】
前記プロセッサは、
前記回転情報が方向情報を含む場合、現在再生しているマルチメディア情報の再生方向を制御するように構成される。
【０１４７】
前記プロセッサは、
前記回転情報が回転角度情報を含む場合、現在再生しているマルチメディア情報の再生位置を制御するように構成される。
【０１４８】
前記プロセッサは、
前記回転情報が回転速度情報を含む場合、現在再生しているマルチメディア情報の再生速度を制御するように構成される。
【０１４９】
前記プロセッサは、
現在再生しているビデオ高速再生を制御する過程中、高速再生の進みに基づいて前記ビデオのプレビュー画像を表示するように構成される。
【０１５０】
非一時的コンピュータ可読記録媒体は、前記記録媒体における命令が端末のプロセッサにより実行されると、移動端末が再生を制御する方法を実行するようにする。
【０１５１】
前記方法は、
外部部材によってトリガーされたスタートイベントを受信した時、前記外部部材が所属するインテリジェントデバイスの回転情報を獲得するステップと、
前記スタートイベントと前記回転情報に基づいて、現在再生しているマルチメディアの再生状態を制御するステップを含む。
【０１５２】
前記記録媒体中の命令は、
前記外部部材が前記インテリジェントデバイスのケース外側の実体キー、又は前記インテリジェントデバイスがバインディングされたリモートコントロールデバイスの実体キーである場合、前記実体キーを操作して前記スタートイベントをトリガーする命令を含む。
【０１５３】
前記記録媒体中の命令は、
前記外部部材が前記インテリジェントデバイスのケース外側の仮想キー、又は前記インテリジェントデバイスがバインディングされたリモートコントロールデバイスの仮想キーである場合、前記仮想キーをタッチして前記スタートイベントをトリガーする命令を含む。
【０１５４】
前記記録媒体中の命令は、
前記外部部材が所属するインテリジェントデバイスの回転情報を獲得することが、
前記インテリジェントデバイス内部のセンサーによって、前記回転情報を獲得することを含む
命令を含む。
【０１５５】
前記記録媒体中の命令は、
前記外部部材が所属するインテリジェントデバイスの回転情報を獲得することが、
前記インテリジェントデバイスとバインディング関係を有するリモートコントロールデバイスによって、前記回転情報を獲得することを含む
命令を含む。
【０１５６】
前記記録媒体中の命令は、
前記回転情報が方向情報を含む場合、現在再生しているマルチメディア情報の再生方向を制御する命令を含む。
【０１５７】
前記記録媒体中の命令は、
前記回転情報が回転角度情報を含む場合、現在再生しているマルチメディア情報の再生位置を制御する命令を含む。
【０１５８】
前記記録媒体中の命令は、
前記回転情報が回転速度情報を含む場合、現在再生しているマルチメディア情報の再生速度を制御する命令を含む。
【０１５９】
前記記録媒体中の命令は、
前記方法が、
現在再生しているビデオ高速再生を制御する過程中、高速再生の進みに基づいて前記ビデオのプレビュー画像を表示する
命令を含む。
【０１６０】
図１５は他の例示的実施例に係る再生を制御する装置１５００を示すブロック図である。例えば、装置１５００はコンピュータとして提供されてもよい。図１５を参照すると、装置１５００は、１つ以上のプロセッサがさらに含まれたプロセスアセンブリ１５２２と、プロセスアセンブリ１５２２により実行可能な命令、例えばプログラムを記憶するメモリ１５３２を代表とするメモリリソースとを含む。メモリ１５３２に記憶されたアプリケーションプログラムは、１つ以上のそれぞれが一組の命令に対応するモジュールを含んでもよい。また、前記いずれか１つの実施例に提供された方法を実行して再生を制御するために、プロセスアセンブリ１５２２は命令を実行するように構成される。
【０１６１】
装置１５００は、装置１５００の電源管理を実行するように構成された電源アセンブリ１５２６と、装置１５００をインターネットに接続させるように構成された有線又は無線インターネットインターフェース１５５０と、入力/出力（Ｉ/Ｏ）インターフェース１５５８とを備えてもよい。装置１５００はメモリ１５３２に記憶された操作システム、例えばＷｉｎｄｏｗｓ ＳｅｒｖｅｒＴＭ、Ｍａｃ ＯＳ ＸＴＭ、ＵｎｉｘＴＭ, Ｌｉｎｕｘ（登録商標）ＴＭ、ＦｒｅｅＢＳＤＴＭなどに基づいて操作できる。
【０１６２】
当業者は、明細書に対する理解、及び明細書に記載された発明に対する実施を介して、本発明の他の実施形態を容易に取得することができる。本発明は、本発明に対する任意の変形、用途、又は適応的な変化を含み、このような変形、用途、又は適応的な変化は、本発明の一般的な原理に従い、本発明では開示していない本技術分野の公知知識、又は通常の技術手段を含む。明細書及び実施例は、単に例示的なものであって、本発明の本当の範囲と主旨は、以下の特許請求の範囲によって示される。
【０１６３】
本発明は、上記で記述され、図面で図示した特定の構成に限定されず、その範囲を離脱しない状況で、様々な修正や変更を実施してもよい。本発明の範囲は、添付される特許請求の範囲のみにより限定される。
【国際調査報告】
2018535454.tif 000018
2018535454.tif 000019
2018535454.tif 000020
2018535454.tif 000021
2018535454.tif 000022
2018535454.tif 000023